(57)【特許請求の範囲】
【請求項１】
遊技球が転動する遊技領域を有する遊技盤と、
前記遊技盤の遊技領域に設けられ、前記遊技球の通過を検出する遊技球通過検出手段と、
前記遊技球通過検出手段により遊技球の通過が検出された場合に、乱数値を抽出する乱数抽出手段と、
前記乱数抽出手段により抽出された乱数値に基づいて、遊技者にとって有利な大当りの抽選を行う大当り抽選手段と、
前記大当り抽選手段による抽選の結果に基づいて、特別図柄の変動を所定時間行い、当該所定時間の変動後、特別図柄の変動を停止する特別図柄遊技の制御を行う特別図柄制御手段と、
前記特別図柄制御手段による特別図柄遊技中に、前記遊技球通過検出手段により遊技球の通過が検出された場合に、前記乱数抽出手段により乱数が抽出された後に、当該抽出された乱数値に係る情報と、前記遊技球通過検出手段により検出された遊技球の数を保留記憶情報として記憶する保留記憶手段と、
前記特別図柄制御手段による前記特別図柄の変動が特定の態様で停止した場合に、通常遊技状態と比較して遊技者にとって有利な大当り遊技状態に移行させ、当該大当り遊技状態が終了した場合に、通常遊技状態と比較して大当り抽選手段による大当りの当選確率が高い確変遊技状態に移行させる制御を行う遊技状態制御手段と、
前記遊技球通過検出手段により遊技球の通過が検出され難い閉鎖状態から遊技球の通過が検出されやすい開放状態に可変可能な電動役物と、
前記確変遊技状態において、確変遊技状態の転落抽選を行う転落抽選手段と、
装飾図柄を含む遊技に係る情報を表示する遊技情報表示手段と、
前記遊技情報表示手段の制御を行う遊技情報表示制御手段と、
前記遊技球通過検出手段とは別に設けられ、前記特別図柄遊技において、特定の態様で停止した場合に、遊技者に不利な第１の状態から、当該第１の状態と比較して有利な第２の状態に制御される大入賞口と、
を備え、
前記大当りとは別に設けられ、前記大入賞口を前記第１の状態から前記第２の状態に所定のパターンで変位させる小当りと、
前記大当りの一部であって、所定のパターンで前記大入賞口を変位させる特定の大当りと、
が設定され、
前記大入賞口の開閉パターンが、前記小当たりと前記特定の大当たりとでは略同一であって、
前記遊技状態制御手段は、前記転落抽選手段により転落抽選に当選した場合に、遊技状態を確変遊技状態から通常遊技状態に移行させる制御を行い、
前記遊技情報表示制御手段は、複数の装飾図柄を表示する制御を行うとともに、前記転落抽選手段による抽選に当選した場合には、前記複数の装飾図柄の組み合わせによるリーチ演出を行い、
前記通常遊技状態に対応する通常遊技状態用演出テーブルと確変遊技状態に対応する確変遊技状態用演出テーブルとを設け、前記遊技状態制御手段により制御されている遊技状態に基づいて夫々のテーブルを選択し、当該選択されたテーブルに基づいて演出を決定するとともに、当該決定された演出を実行する制御を行い、
前記大当たり遊技状態が終了した後の所定ゲーム数の間、前記電動役物が、前記遊技球通過検出手段により遊技球の通過が検出され難い閉鎖状態から遊技球の通過が検出されやすい開放状態となりやすい時短状態であって、且つ、前記通常遊技状態である場合において、前記保留記憶手段により大当りに係る乱数値が記憶されている場合、小当りに係る乱数値が記憶されている場合又は特定の大当りに係る乱数値が記憶されている場合は、前記大当りに係る乱数値、前記小当りに係る乱数値又は前記特定の大当りに係る乱数値が記憶されている保留が消化されるまでの間は、前記通常遊技状態であっても、前記通常遊技状態用演出テーブルに代えて当該通常遊技状態用演出テーブルと比較して前記確変遊技状態で選択されやすい演出が抽選される確率が高く設定された演出テーブルを選択し、当該選択された演出テーブルに基づいて抽選により演出を決定するとともに、当該決定された演出を実行する制御を行い、
前記遊技情報表示制御手段は、前記時短状態であって、且つ、前記通常遊技状態である場合において、前記小当りに係る乱数値が記憶されている保留が消化された後、所定の条件が充足されるまで、前記通常遊技状態用演出テーブルと比較して前記確変遊技状態で選択されやすい演出が抽選される確率が高く設定された演出テーブルを選択し、当該選択された演出テーブルに基づいて抽選により演出を決定するとともに、当該決定された演出を実行する制御を行うことを特徴とする遊技機。
【発明の詳細な説明】
【技術分野】
【０００１】
本発明は、遊技機に関するものであり、特に、選択された演出テーブルに基づいて抽選により演出を決定する遊技機に関する。
【背景技術】
【０００２】
従来、遊技機において、発射された遊技球が転動可能な遊技領域に設けられた始動領域を遊技球が通過したことなど、所定の可変表示開始条件の成立により、表示装置の表示領域上に識別情報としての図柄を変動表示する制御を行い、変動表示が行われている図柄を導出表示する制御を行う表示制御手段が備えられ、導出表示された図柄が所定の組合せ（特定の表示態様）となった場合に遊技者に有利な大当り遊技状態(所謂「大当り」)に移行するようにしたものが提供されている。
【０００３】
従来のこの種の遊技機のうち、通常遊技状態と比較して大当りとなる可能性が高い確変遊技状態が転落抽選により終了する遊技機において、リーチ演出を行った後に転落抽選に当選したか否かを報知する遊技機が知られている（例えば、特許文献１）。
【０００４】
このような遊技機においては、リーチが外れた場合であっても、転落抽選に当選していないことが報知されることにより、リーチが外れた場合に遊技者の落胆を軽減することができる。
【先行技術文献】
【特許文献】
【０００５】
【特許文献１】特開２００９−３９２１７号公報
【発明の概要】
【発明が解決しようとする課題】
【０００６】
しかしながら、上記の遊技機においては、転落抽選に当選したことにより、リーチが外れた後に確変が終了したことを報知された場合には、その後の遊技に対して遊技者が期待を持つことができなくなるという問題点があった。
【０００７】
本発明は、上述の問題点を鑑み、転落抽選に当選した場合であっても、その後の遊技に遊技者が期待感を抱くことができる遊技機を提供することを目的とする。
【課題を解決するための手段】
【０００８】
本発明は、このような課題を解決するためになされたもので、遊技球が転動する遊技領域を有する遊技盤と、前記遊技盤の遊技領域に設けられ、前記遊技球の通過を検出する遊技球通過検出手段と、前記遊技球通過検出手段により遊技球の通過が検出された場合に、乱数値を抽出する乱数抽出手段と、前記乱数抽出手段により抽出された乱数値に基づいて、遊技者にとって有利な大当りの抽選を行う大当り抽選手段と、前記大当り抽選手段による抽選の結果に基づいて、特別図柄の変動を所定時間行い、当該所定時間の変動後、特別図柄の変動を停止する特別図柄遊技の制御を行う特別図柄制御手段と、前記特別図柄制御手段による特別図柄遊技中に、前記遊技球通過検出手段により遊技球の通過が検出された場合に、前記乱数抽出手段により乱数が抽出された後に、当該抽出された乱数値に係る情報と、前記遊技球通過検出手段により検出された遊技球の数を保留記憶情報として記憶する保留記憶手段と、前記特別図柄制御手段による前記特別図柄の変動が特定の態様で停止した場合に、通常遊技状態と比較して遊技者にとって有利な大当り遊技状態に移行させ、当該大当り遊技状態が終了した場合に、通常遊技状態と比較して大当り抽選手段による大当りの当選確率が高い確変遊技状態に移行させる制御を行う遊技状態制御手段と、前記大当り遊技状態が終了した後の所定ゲーム数の間、前記遊技球通過検出手段により遊技球の通過が検出され難い閉鎖状態から遊技球の通過が検出されやすい開放状態へ移行する電動役物と、前記確変遊技状態において、確変遊技状態の転落抽選を行う転落抽選手段と、装飾図柄を含む遊技に係る情報を表示する遊技情報表示手段と、前記遊技情報表示手段の制御を行う遊技情報表示制御手段と、を備え、前記遊技状態制御手段は、前記転落抽選手段により転落抽選に当選した場合に、遊技状態を確変遊技状態から通常遊技状態に移行させる制御を行い、前記遊技情報表示制御手段は、複数の装飾図柄を表示する制御を行うとともに、前記転落抽選手段による抽選に当選した場合には、前記複数の装飾図柄の組み合わせによるリーチ演出を行い、前記通常遊技状態に対応する通常遊技状態用演出テーブルと確変遊技状態に対応する確変遊技状態用演出テーブルとを設け、前記遊技状態制御手段により制御されている遊技状態に基づいて夫々のテーブルを選択し、当該選択されたテーブルに基づいて演出を決定するとともに、当該決定された演出を実行する制御を行い、前記電動役物が開放状態であって、且つ、前記通常遊技状態である場合において、前記保留記憶手段により大当りに係る乱数値が記憶されている場合は、大当りに係る乱数値が記憶されている保留が消化されるまでの間は、前記通常遊技状態であっても、前記通常遊技状態用演出テーブルに代えて当該通常遊技状態用演出テーブルと比較して前記確変遊技状態で選択されやすい演出が抽選される確率が高く設定された演出テーブルを選択し、当該選択された演出テーブルに基づいて抽選により演出を決定するとともに、当該決定された演出を実行する制御を行うことを特徴とする。
【０００９】
本発明によれば、電動役物が開放状態であって、且つ、通常遊技状態である場合において、保留記憶手段により大当りに係る乱数値が記憶されている場合は、大当りに係る乱数値が記憶されている保留が消化されるまでの間は、通常遊技状態であっても、通常遊技状態用演出テーブルに代えて当該通常遊技状態用演出テーブルと比較して確変遊技状態で選択されやすい演出が抽選される確率が高く設定された演出テーブルを選択するので、転落抽選に当選した場合であっても、その後の遊技に遊技者が期待感を抱くことができる。
【００１０】
また、本発明は、前記遊技球通過検出手段とは別に設けられ、前記特別図柄遊技において、特定の態様で停止した場合に、遊技者に不利な第１の状態から、当該第１の状態と比較して有利な第２の状態に制御される大入賞口と、前記大当りとは別に設けられ、前記大入賞口を第１の状態から第２の状態に所定のパターンで前記大入賞口を変位させる小当りと、前記大当りの一部であって、前記所定のパターンで前記大入賞口を変位させる特定の大当りと、を更に設け、前記電動役物が開放状態であって、且つ、前記通常遊技状態である場合において、前記保留記憶手段により小当りに係る乱数値が記憶されている場合又は特定の大当りに係る乱数値が記憶されている場合は、小当り又は特定の大当りに係る乱数値が記憶されている保留が消化されるまでの間は、前記通常遊技状態であっても、前記通常遊技状態用演出テーブルに代えて当該通常遊技状態用演出テーブルと比較して前記確変遊技状態で選択されやすい演出が抽選される確率が高く設定された演出テーブルを選択し、当該選択された演出テーブルに基づいて抽選により演出を決定するとともに、当該決定された演出を実行する制御を行うことを特徴とする。
【００１１】
本発明によれば、電動役物が開放状態であって、且つ、通常遊技状態である場合において、保留記憶手段により小当りに係る乱数値が記憶されている場合又は特定の大当りに係る乱数値が記憶されている場合は、小当り又は特定の大当りに係る乱数値が記憶されている保留が消化されるまでの間は、通常遊技状態であっても、通常遊技状態用演出テーブルに代えて当該通常遊技状態用演出テーブルと比較して確変遊技状態で選択されやすい演出が抽選される確率が高く設定された演出テーブルを選択し、選択された演出テーブルに基づいて抽選により演出を決定するとともに、当該決定された演出を実行する制御を行うので、通常遊技状態に転落後、潜確または小当りの保留がある場合には、転落しても確変用の演出テーブルに基づいて演出を決定するので、確変用の演出テーブルを使用している間は、潜確に当選した可能性に対する期待感を継続させることができる。また、小当りに当選した場合には、潜確当選の期待感を持たせることができ、且つ、潜確に当選した可能性に対する期待感を継続させることができる。
【００１２】
また、本発明は、前記遊技情報表示制御手段は、前記電動役物が開放状態中であって、且つ、前記通常遊技状態中である場合において、前記小当りに係る乱数値が記憶されている保留が消化された後、所定の条件が充足されるまで、前記通常遊技状態用演出テーブルと比較して前記確変遊技状態で選択されやすい演出が抽選される確率が高く設定された演出テーブルを選択し、当該選択された演出テーブルに基づいて抽選により演出を決定するとともに、当該決定された演出を実行する制御を行うことを特徴とする。
【００１３】
本発明によれば、小当りに係る乱数値が記憶されている保留が消化された後、所定の条件が充足されるまで、通常遊技状態用演出テーブルと比較して確変遊技状態で選択されやすい演出が抽選される確率が高く設定された演出テーブルを選択するので、小当り後所定の条件が充足されるまで、潜確に当選して確変遊技状態へ移行したかもしれないという期待感を継続させることができる。
【発明の効果】
【００１４】
本発明によれば、転落抽選に当選した場合であっても、その後の遊技に遊技者が期待感を抱くことができる遊技機を提供することが可能である。
【図面の簡単な説明】
【００１５】
【図１】図１は、本発明の一実施形態のパチンコ遊技機における外観を示す斜視図である。
【図２】図２は、本発明の一実施形態のパチンコ遊技機における外観を示す正面図である。
【図３】図３は、本発明の一実施形態のパチンゴ遊技機における概観を示す分解斜視図である。
【図４】図４は、本発明の一実施形態のパチンコ遊伎機における遊技盤の概観を示す正面図である。
【図５】図５は、本発明の一実施形態のパチンコ遊技機における第１、第２特別図柄表示装置を含むＬＥＤユニットを示す正面図である。
【図６】図６は、本発明の一実施形態のパチンコ遊技機における制御回路を示すブロック図である。
【図７】図７は、本発明の一実施形態のパチンコ遊技機において実行される制御処理を示すフローチャートである。
【図８】図８は、本発明の一実施形態のパチンコ遊技機において実行される制御処理を示すフローチャートである。
【図９】図９は、本発明の一実施形態のパチンコ遊5Mteにおいて実行される制御処理を示すフローチャートである。
【図１０】図１０は、本薙明の一実施形態のパチンコ遊技機において実行される制御処理を示すフローチャートである。
【図１１】図１１は、本発明の一実施形態のパチンコ遊技機において実行される制御処理を示すフローチャートである。
【図１２】図１２は、本発明の一実施形態のパチンコ遊技機において実行される制御処理を示すフローチャートである。
【図１３】図１３は、本発明の一実施形態のパチンコ遊技機において実行される制御処理を示すフローチャートである。
【図１４】図１４は、本発明の一実施形態のパチンコ遊技機において実行される制御処理を示すフローチャートである。
【図１５】図１５は、本発明の一実施形態のパチンコ遊技機において実行される制御処理を示すフローチャートである。
【図１６】図１６は、本発明の一実施形態のパチンコ遊技機において実行される制御処理を示すフローチャートである。
【図１７】図１７は、本発明の一実施形態のパチンコ遊技機において実行される制御処理を示すフローチャートである。
【図１８】図１８は、本発明の一実施形態のパチンコ遊技機において実行される制御処理を示すフローチャートである。
【図１９】図１９は、本発明の一実施形態のパチンコ遊技機において実行される制御処理を示すフローチャートである。
【図２０】図２０は、本発明の一実施形態のパチンコ遊技機において実行される制御処理を示すフローチャートである。
【図２１】図２１は、本発明の一実施形態のパチンコ遊技機において実行される制御処理を示すフローチャートである。
【図２２】図２２は、本発明の一実施形態のパチンコ遊技機において実行される制御処理を示すフローチャートである。
【図２３】図２３は、本発明の一実施形態のパチンコ遊技機において実行される制御処理を示すフローチャートである。
【図２４】図２４は、本発明の一実施形態のパチンコ遊技機において実行される制御処理を示すフローチャートである。
【図２５】図２５は、本発明の一実施形態のパチンコ遊技機において実行される制御処理を示すフローチャートである。
【図２６】図２６は、本発明の一実施形態のパチンコ遊技機において実行される制御処理を示すフローチャートである。
【図２７】図２７は、本発明の一実施形態のパチンコ遊技機において実行される制御処理を示すフローチャートである。
【図２８】図２８は、本発明の一実施形態のパチンコ遊技機において実行される制御処理を示すフローチャートである。
【図２９】図２９は、本発明の一実施形態のパチンコ遊技機における特別図柄変動パターン決定テーブルを示す図である。
【図３０】図３０は、本発明の一実施形態のパチンコ遊技機における特別図柄制御処理を実行するためのプログラムを示す図である。
【図３１】図３１は、本発明の一実施形態のパチンコ遊技機において実行される演出表示例を示す説明図である。
【図３２】図３２は、本発明の一実施形態のパチンコ遊技機において実行される演出表示例を示す説明図である。
【図３３】図３３は、本発明の一実施形態のパチンコ遊技機において表示される保留記憶数の表示例を示す図である。
【図３４】図３４は、本発明の一実施形態のパチンコ遊技機における大当り終了後の遊技の流れを示す図である。
【図３５】図３５は、本発明の一実施形態のパチンコ遊技機における転落後の電サポ中に大当りとなった際の特別図柄変動パターン決定テーブルの選択処理を説明する図である。
【図３６】図３６は、本発明の一実施形態のパチンコ遊技機において実行されるアタッカの開閉処理を説明する図である。
【図３７】図３７は、本発明の一実施形態のパチンコ遊技機における転落後の電サポ中に潜確または小当りとなった際の特別図柄変動パターン決定テーブルの選択処理について説明する図である。
【図３８】図３８は、本発明の一実施形態のパチンコ遊技機における特別図柄変動パターン決定テーブルを示す図である。
【発明を実施するための形態】
【００１６】
［遊技機の構成］
まず、パチンコ遊技機１０の概観について図１乃至図４を用いて説明する。図１は、本実施形態におけるパチンコ遊技機１０の概観を示す斜視図である。また、図２は、本実施形態におけるパチンコ遊技機１０の概観を示す正面図である。また、図３は、本実施形態におけるパチンコ遊技機１０の概観を示す分解斜視図である。また、図４は、本実施形態におけるパチンコ遊技機１０の遊技盤の正面図である。
【００１７】
パチンコ遊技機１０は、図１から図３に示すように、ガラスドア１１、木枠１２、ベースドア１３、遊技盤１４、皿ユニット２０、画像を表示する液晶表示装置３２、遊技球を発射する発射装置１３０、払出ユニット５００、基板ユニット６００等から構成されている。
【００１８】
上述したガラスドア１１は、ベースドア１３に対して開閉自在に軸着されている。また、このガラスドア１１の中央には、開口１１ａが形成されており、その開口１１ａには、透過性を有する保護ガラス１９が配設されている。この保護ガラス１９は、ガラスドア１１が閉鎖された状態で遊技盤１４の前面に対面するように配設されている。
【００１９】
皿ユニット２０は、上皿２１及び下皿２２を一体化したユニット体であり、ベースドア１３におけるガラスドア１１の下部に配設されている。また、下皿２２は、上皿２１の下方に位置している。上皿２１及び下皿２２には、遊技球の貸し出し、遊技球の払出し（賞球）を行うための払出口２１ａ、２２ａが形成されており、所定の払出条件が成立した場合には、遊技球が排出され、特に、上皿２１には、後述する遊技領域１５に発射させるための遊技球が貯留される。
【００２０】
発射装置１３０は、ベースドア１３の右下部に配設される。この発射装置１３０は、遊技者によって操作可能な発射ハンドル２６と、皿ユニット２０の右下部に適合するパネル体２７とを備えている。発射ハンドル２６は、パネル体２７の表側に設けられる。パネル体２７の裏側には遊技球を発射するための駆動装置が設けられる。ベースドア１３に、皿ユニット２１及び発射装置１３０を配設したとき、パネル体２７は、皿ユニット２０の右下部と一体化する。そして、遊技者によって発射ハンドル２６が操作されることによりパチンコ遊技を進めることができる。
【００２１】
上述した遊技盤１４は、保護ガラス１９の後方に位置するように、ベースドア１３の前方に配設されている。遊技盤１４の後方には、スペーサー３１、液晶表示装置３２などが配設されている。ベースドア１３の後方には、払出ユニット５００、基板ユニット６００が配設されている。また、下皿２２の下部には、スピーカ４６が配設されている。
【００２２】
遊技盤１４は、その全部が透過性を有する板形状の樹脂（透過性を有する部材）によって形成されている。この透過性を有する部材としては、例えば、アクリル樹脂、ポリカーボネート樹脂、メタクリル樹脂など各種の材質が該当する。また、遊技盤１４は、その前面側に、発射された遊技球が転動流下可能な遊技領域１５を有している。この遊技領域１５は、ガイドレール３０（具体的には後述の図４に示す外レール３０ａに囲まれ、遊技球が転動可能な領域）である。また、遊技盤１４における遊技領城１５には、複数の遊技釘１８が打ちこまれている。このように、遊技盤１４は、遊技球が転動する遊技領域を有する遊技盤の一例である。
【００２３】
液晶表示装置３２は、遊技盤１４の後方（背面側）に配設されている。すなわち、液晶表示装置３２は、遊技盤１４の透過性を有する部材の背後に配置されている。この液晶表示装置３２は、遊技に関する画像の表示を可能とする表示領域３２ａを有している。この表示領域３２ａは、遊技盤１４の全部又は一部に、背面側から重なるように配設される。言い換えると、この表示領域３２ａは、少なくとも、遊技盤１４における遊技領域１５の全部又は一部と重なるように遊技盤１４の後方に配設される。具体的には、液晶表示装置３２は、その表示領域３２ａが遊技領域１５の全部又は一部と、遊技領域外域１６の全部又は一部とに重なるように遊技盤１４の後方に配設される。この液晶表示装置３２における表示領域３２ａには、第１始動口２５により通過が検出された遊技球の数である保留記憶数、演出用の識別図柄、演出画像、装飾用の装飾画像など、各種の画像が表示される。
【００２４】
スペーサー３１は、遊技盤１４の後方（背面側）に配設され、遊技盤１４の後方と液晶表示装置３２の前方（前面側）との間に、遊技盤１４を転動した遊技球の流路となる空間を構成している。また、スペーサー３１の下部には、ＬＥＤユニット５３（図４参照）が設けられている。このスペーサー３１は、透過性を有した材料で形成されている。なお、本実施形態においてスペーサー３１は、透過性を有した材料で形成されているが、本発明はこれに限定されず、例えば、一部が透過性を有する材料で形成されてもよい。また、透過性を有さない材料で形成されてもよい。
【００２５】
発射ハンドル２６は回動自在であり、発射ハンドル２６の裏側には、駆動装置である発射ソレノイド（図示せず）が設けられている。さらに、発射ハンドル２６の周縁部には、タッチセンサ（図示せず）が設けられている。発射ハンドル２６の内部には、発射ハンドル２６の回動量に応じて抵抗値を変化させ、発射ソレノイド（図示せず）に供給する電力を変化させる発射ボリュームが設けられている。
【００２６】
タッチセンサ（図示せず）が遊技者により触接されたときには、遊技者により発射ハンドル２６が握持されたと検知される。発射ハンドル２６が遊技者によって握持され、かつ、時計回り方向へ回動操作されたときには、その回動角度に応じて発射ボリューム（図示せず）の抵抗値が変化し、この時の抵抗値に対応する電力が発射ソレノイド（図示せず）に供給される。その結果、上皿２１に貯留された遊技球が遊技盤１４の遊技領域１５に順次発射され、遊技が進められる。なお、発射停止ボタン（図示せず）が押下された場合には、発射ハンドル２６を握持しかつ回動させた状態であっても遊技球の発射が停止される。
【００２７】
遊技盤１４の左下方には、一般入賞口５６ａ、５６ｂ、５６ｃを形成する部材が配置されており、この部材におけるＬＥＤユニット５３との対向部位は透明になっている。このため、図４に示されるように、遊技盤１４の左下方から、ＬＥＤユニット５３が視認可能となる。図５はＬＥＤユニット５３の詳細を示す正面図であり、ＬＥＤユニット５３には、特別図柄表示装置３５、普通図柄表示装置３３、第１特別図柄保留表示ＬＥＤ３４ａ、３４ｂ、第２特別図柄保留表示ＬＥＤ３４ｃ、３４ｄ、普通図柄保留表示ＬＥＤ５０ａ、５０ｂ等が設けられている。普通図柄表示装置３３は、普通図柄表示ＬＥＤ３３ａ、３３ｂからなる。
【００２８】
特別図柄表示装置３５は、１６個によって構成されている。これら１６個のＬＥＤは、８個のＬＥＤからなる２つのグループに分かれており、詳細は後述するが、一方のグループは、第１始動口２５への始動入賞を契機として変動表示を行うものであり、他方のグループは、第２始動口４４への始動入賞を契機として変動表示を行うものである。なお、以下の説明の便宜上、一方のＬＥＤのグループを第１特別図柄表示装置３５ａ（図６参照）、他方のＬＥＤのグループを第２特別図柄表示装置３５ｂ（図６参照）と称する。
【００２９】
第１、第２特別図柄表示装置３５ａ、３５ｂのＬＥＤは、所定の特別図柄の変動表示開始条件の成立により、グループ単位で点灯・消灯を繰り返す変動表示を行う。そして、８つのＬＥＤの点灯・消灯によって形成される表示パターンが、特別図柄（識別図柄ともいう）として停止表示される。この停止表示された特別図柄が、特定の停止表示態様の場合には、通常遊技状態から遊技者に有利な状態である当り遊技状態（特別遊技状態）に遊技状態が移行する。この当り遊枝状態となった場合には、後述するように、アタッカ４０（図４参照）が開放状態に制御され、大入賞口３９（図４参照）に遊技球が受け入れ可能な状態となる。言い換えれば、大入賞口３９が開放される遊技が当り遊技であり、本実施形態によれば、大当り遊技と小当り遊技の２種類の当り遊技がある。また、特別図柄が大当り遊技状態に移行する停止表示態様になることが大当り、特別図柄が小当り遊技状態に移行する停止表示態様になることが小当りである。大当りと小当りの違いについては後述するが、大当りの場合には、多くの出球を獲得する可能性が高くなり、小当りの場合には、出球獲得があまり期待できない。一方、特別図柄として、ハズレ図柄が停止表示された場合は、遊技状態が維持される。以上のように、特別図柄が変動表示された後、停止表示され、その結果によって遊技状態が移行又は維持されるゲームを「特別図柄ゲーム」という。
【００３０】
特別図柄表示装置３５の下方には、普通図柄表示装置３３が設けられている。普通図柄表示装置３３は、２つの表示用ランプで構成されており、これら表示用ランプが交互に点灯・消灯を繰り返すことによって、普通図柄として変動表示される。そして、普通図柄が変動表示された後、停止表示され、その結果によって普通電動役物４８（図４参照）の開放・閉鎖状態が異なってくるゲームを「普通図柄ゲーム」という。
【００３１】
普通図柄表示装置３３の下方には、普通図柄保留表示ＬＥＤ５０ａ、５０ｂが設けられている。この普通図柄保留表示ＬＥＤ５０ａ、５０ｂは、点灯、消灯又は点減によって保留されている普通図柄の変動表示の実行回数（所謂、「保留個数」、「普通図柄に関する保留個数」）を表示する。具体的には、普通図柄の変動表示の実行が、１回分保留されている場合には、普通図柄保留表示ＬＥＤ５０ａが点灯し、普通図柄保留表示ＬＥＤ５０ｂが消灯する。普通図柄の変動表示の実行が２回分保留されている場合には、普通図柄保留表示ＬＥＤ５０ａが点灯し、普通図柄保留表示ＬＥＤ５０ｂが点灯する。普通図柄の変動表示の実行が３回分保留されている場合には、普通図柄保留表示ＬＥＤ５０ａが点減し、普通図柄保留表示ＬＥＤ５０ｂが点灯する。普通図柄の変動表示の実行が４回分保留されている場合には、普通図柄保留表示ＬＥＤ５０ａが点滅し、普通図柄保留表示ＬＥＤ５０ｂが点減する。
【００３２】
普通図柄保留表示ＬＥＤ５０ａ、５０ｂの下方には、第１特別図柄保留表示ＬＥＤ３４ａ、３４ｂ、第２特別図柄保留表示ＬＥＤ３４ｃ、３４ｄが設けられている。これら第１特別図柄保留表示ＬＥＤ３４ａ、３４ｂ及び第２特別図柄保留表示ＬＥＤ３４ｃ、３４ｄは、点灯、消灯又は点減によって保留されている特別図柄の変動表示の実行回数（所謂、「保留個数」、「特別図柄に関する保留個数」）を表示する。第１特別図柄保留表示ＬＥＤ３４ａ、３４ｂ及び第２特別図柄保留表示ＬＥＤ３４ｃ、３４ｄによる特別図柄に関する保留個数の表示態様は、普通図柄保留表示ＬＥＤ５０ａ、５０ｂによる、普通図柄の保留個数の表示態様と同一である。
【００３３】
普通図柄表示装置３３の側方には、大当り、小当りを問わずに点灯する当り報知ＬＥＤなどが設けられる。本実施形態によれば、ラウンド数が一定なのでラウンド数表示用のＬＥＤはない。このため、主制御回路６０によって制御される当り報知ＬＥＤの表示上では、大当り、小当りの報知上の差別はない。また、突確大当りと小当りは、後述するようにその当りが発生したときのアタッカ４０の開閉パターンも同一のものから選択され、また副制御回路２００によって制御される液晶表示装置３２等における演出も同一である。このため、突確大当りと小当りは、遊技者は見た目上の区別が付かない。
【００３４】
また、遊技盤１４の後方（背面側）に配設されている液晶表示装置３２の表示領域では、第１特別図柄表示装置３５ａ及び第２特別図柄表示装置３５ｂにおいて表示される特別図柄と関連する演出画像が表示される。
【００３５】
例えば、第１特別図柄表示装置３５ａ及び第２特別図柄表示装置３５ｂで表示される特別図柄の変動表示中においては、特定の場合を除いて、液晶表示装置３２の表示領域３２ａにおいて、数字からなる識別図柄（演出用の識別情報でもある）、例えば、“１〜８”のような数字が変動表示される。また、第１特別図柄表示装置３５ａ（図６参照）及び第２特別図柄表示装置３５ｂ（図６参照）において変動表示されていた特別図柄が停止表示されるとともに、液晶表示装置３２の表示領域３２ａでも演出用としての識別図柄が停止表示される。また、後に図３３等を用いて詳述するが、液晶表示装置３２の表示領域３２ａは、保留記憶数に対応する保留記憶表示領域３２ｃを有する。
【００３６】
また、第１特別図柄表示装置３５ａ及び第２特別図柄表示装置３５ｂにおいて、変動、停止された特別図柄が特定の停止表示態様の場合には、当りであることを遊技者に把握させる演出画像が液晶表示装置３２の表示領域３２ａにおいて表示される。具体的には、第１特別図柄表示装置３５ａ及び第２特別図柄表示装置３５ｂのいずれか一方において特別図柄が、例えば、多くの出球が獲得可能な大当りに対応する特定の表示態様で停止表示された場合には、液晶表示装置３２の表示領域３２ａにおいて表示される演出用の識別図柄の組合せが特定の表示態様（例えば、複数の図柄列のそれぞれに同一の図柄が全て揃った状態で停止表示される態様）となり、さらに、大当り用の演出画像が液晶表示装置３２の表示領域３２ａにおいて表示される。なお、出球を得ることが困難な当り（小当り、突確大当り）の場合は、当りであることを遊技者に把握させる演出画像を、液晶表示装置３２の表示領域３２ａにおいて表示しなくてもよい。
【００３７】
図４に示すように、遊技機１０の遊技盤１４上には、二つのガイドレール３０（３０ａ及び３０ｂ）、ステージ５５、第１始動口２５、第２始動口４４、通過ゲート５４、アタッカ４０、大入賞口３９、一般入賞口５６ａ、５６ｂ、５６ｃ、５６ｄ、普通電動役物４８等の遊技部材が設けられている。
【００３８】
遊技盤１４の上部には、略逆Ｌ字形状のステージ５５が設けられている。また、遊技領域１５を囲むように、ガイドレール３０が設けられている。
【００３９】
ガイドレール３０は、遊技領域１５を区画（画定）する外レール３０ａと、その外レール３０ａの内側に配設された内レール３０ｂとから構成される。発射された遊技球は、遊技盤１４上に設けられたガイドレール３０に案内されて、遊技盤１４の上部に移動し、前述した複数の遊技釘（図示せず）、遊技盤１４上に設けられたステージ５５などとの衝突により、その進行方向を変えながら遊技盤１４の下方に向かって流下する。具体的には、ステージ５５の左側を流下する系統（所謂、左打ち）と、発射ハンドル２６を右側に最大に回転させて、ステージ５５の右側に遊技球を打ち込み、ステージ５５の右側を流下する系統（所謂、右打ち）がある。
【００４０】
また、ステージ５５の下方でかつ遊技盤１４の中央の下方には、第１始動口２５が設けられている。また、ステージ５５の右側上部に通過ゲート５４が設けられており、通過ゲート５４の下方に第２始動口４４が設けられている。第２始動口４４には普通電動役物４８が設けられている。普通電動役物４８は、遊技盤１４の板面に対して前後方向に、突出、引き込みを行う舌状部材４８ａを備えている。舌状部材４８ａが突出している時に舌状部材４８ａに乗った遊技球が第２始動口４４に入賞し、舌状部材４８ａが引き込んでいる場合には遊技球が第２始動口４４に入賞することは不可能である。そして、普通図柄表示装置３３において普通図柄が所定の図柄で停止表示されたときには、普通電動役物４８における舌状部材４８ａが、所定の時間、引込状態から突出状態となり、第２始動口４４に遊技球が入りやすくなる。なお、普通電動役物４８は、舌状部材４８ａの突出、引き込みを行うものに限らず、例えば、一対の羽根部材が開放、閉鎖するもの（所謂、電動チューリップ）であってもよい。
【００４１】
また、ステージ５５の右側に遊技球を打ち込んだ場合には、ステージ５５の右側から第１始動口２５に遊技球が転動する経路に、遊技釘１８が打ち込まれており、この遊技釘１８によって、遊技球がステージ５５の右側から第１始動口２５に入賞不可能になっている。
【００４２】
普通図柄の変動表示中において通過ゲート５４を遊技球が通過した場合には、普通図柄保留表示ＬＥＤ５０ａ、５０ｂによる表示態様を切り換えて、変動表示中の普通図柄が停止表示されるまで、当該通過ゲート５４への遊技球の通過に基づく普通図柄の変動表示の実行（開始）が保留される。その後、変動表示していた普通図柄が停止表示された場合には、保留されていた普通図柄の変動表示が開始される。
【００４３】
なお、普通図柄表示装置３３において普通図柄として特定の図柄が停止表示された場合には、普通図柄抽選が当選であることを遊技者に把握させる演出画像が液晶表示装置３２の表示領域３２ａにおいて表示されるようにしてもよい。
【００４４】
また、第１始動口２５の直下には、大入賞口３９を開閉するアタッカ４０が配置されている。アタッカ４０の直下の遊技領域１５の最下部位には、アウト口５７が形成されている。遊技領城１５の左側下部には、一般入賞口５６ａ、５６ｂ、５６ｃが設けられている。また、遊技領域１５の右側下部には、一般入賞口５６ｄが設けられている。
【００４５】
また、前述した第１始動口２５内には入賞領域が設けられている。この入賞領域には第１始動入賞ロスイッチ１１６（図６参照）が備えられている。第２始動口４４内には入賞領城が設けられており、この入賞領域には第２始動入賞口スイッチ１１７（図６参照）が備えられている。遊技球等の遊技媒体が、第１始動入賞口スイッチ１１６によって検出された場合、第１特別図柄表示装置３５ａによる特別図柄の変動表示が開始される。また、特別図柄の変動表示中に第１始動口２５へ遊技球が入球した場合には、変動表示中の特別図柄が停止表示されるまで、第１始動口２５への遊技球の入球に基づく特別図柄の変動表示の実行（開始）が保留される。その後、変動表示していた特別図柄が停止表示された場合には、保留されていた特別図柄の変動表示が開始される。なお、以降の説明において、第１始動口２５への遊技球の入球に基づいて第１特別図柄表示装置３５ａに変動表示される特別図柄を第１特別図柄と称する。
【００４６】
また、遊技球等の遊技媒体が、第２始動入賞口スイッチ１１７によって検出された場合、第２特別図柄表示装置３５ｂによる特別図柄の変動表示が開始される。また、特別図柄の変動表示中に第２始動口４４へ遊技球が入球した場合には、変動表示中の特別図柄が停止表示されるまで、第２始動口４４への遊技球の入球に基づく特別図柄の変動表示の実行（開始）が保留される。その後、変動表示していた特別図柄が停止表示された場合には、保留されていた特別図柄の変動表示が開始される。なお、以降の説明において、第２始動口４４への遊枝球の入球に基づいて第２特別図柄表示装置３５ｂに変動表示される特別図柄を第２特別図柄と称する。ここで、第１特別図柄表示装置３５ａと第２特別図柄表示装置３５ｂとは同時に特別図柄が変動することはない。また、本実施形態においては、第２始動口４４への始動入賞を優先に特別図柄の変動表示が行われる。このように、第１始動口２５、第２始動口４４は、遊技盤１４の遊技領域１５に設けられ、遊技球の通過を検出する遊技球通過検出手段の一例である。
【００４７】
なお、特別図柄の変動表示の実行が保留される回数には上限が設定されており、本実施形態においては、第１始動口２５、第２始動口４４への入球による特別図柄の変動表示の保留数は、４回を上限としている。具体的には、第１特別図柄の特別図柄ゲームが４回保留されている場合には、変動中の第１特別図柄に対応する特別図柄ゲームの情報が、メインＲＡＭ７０（図６参照）の第１特別図柄始動記憶領域（０）に始動記憶として記憶され、保留されている４回の特別図柄ゲームの情報は、第１特別図柄始動記憶領域（１）〜第１特別図柄始動記憶領域（４）に始動記憶として記憶される。
【００４８】
また、その他の（所定の特別図柄の変動表示開始）条件としては、特別図柄が停止表示されていることである。つまり、所定の特別図柄の変動表示開始条件が成立する毎に特別図柄の変動表示が開始される。
【００４９】
第１特別図柄表示装置３５ａ及び第２特別図柄表示装置３５ｂにおいて特別図柄が特定の停止表示態様となって、遊技状態が大当り遊技状態に移行された場合は、アタッカ４０が、遊技球を受け入れやすい開放状態となるように駆動される。その結果、大入賞口３９は、遊技球を受け入れやすい開放状態（第１の状態）となる。このように、特別図柄表示装置３５は、抽選手段（メインＣＰＵ６６）による抽選の結果を表示する抽選結果表示手段の一例である。
【００５０】
一方、アタッカ４０の背面側（後方）に設けられた大入賞口３９には、カウントスイッチ１０４（図６参照）を有する領域（図示せず）があり、その領域を遊妓球が所定個数（例えば７個）通過するか、又は、所定時間（例えば、約０．１秒あるいは約３０秒）が経過するまでアタッカ４０が開放状態に駆動される。そして、開放状態において大入賞口３９への所定数の遊技球の入賞又は所定時間の経過のいずれかの条件が成立すると、アタッカ４０は、遊技球を受け入れ難い閉鎖状態になるように駆動される。その結果、大入賞口３９は、遊技球を受け入れ難い閉鎖状態となる（第２の状態）。なお、一定時間において、大入賞口３９が遊技球を受け入れやすい状態となっている遊技をラウンドゲームという。したがって、アタッカ４０は、ラウンドゲーム時に開放し、各ラウンドゲーム間では閉鎖することになる。また、ラウンドゲームは、“１”ラウンド、“２”ラウンド等のラウンド数として計数される。例えば、ラウンドゲームの１回目を第１ラウンド、２回目を第２ラウンドと呼称する場合がある。なお、本実施形態においては、１ラウンドにおいて、複数回アタッカ４０を開閉して、開放状態となる時間を一定時間とする場合がある。
【００５１】
続いて、開放状態から閉鎖状態（第２の状態）に駆動されたアタッカ４０は、再度開放状態に駆動される。つまり、ラウンドゲームが終了した場合には、次のラウンドゲームへ継続して進むことができる。なお、第１ラウンドのラウンドゲームから、次のラウンドゲームに継続して進むことができない（最終の）ラウンドゲームが終了するまでの遊技を特別遊技あるいは大当り遊技という。なお、本実施形態においては、全ての大当りは１５ラウンドである。また、本実施形態においては、第１特別図柄表示装置３５ａ及び第２特別図柄表示装置３５ｂにおいて特別図柄が特定の停止表示態様となって、遊技状態が小当り遊技状態に移行された場合は大入賞口３９が２回遊技球を受け入れやすい開放状態となるように、アタッカ４０が駆動される。なお、小当り遊技は、大入賞口３９を２回開放する遊技であり、大当りのようにラウンドゲームという概念はない。このように、大入賞口３９は、有利遊技状態発生制御手段（メインＣＰＵ６６）により有利遊技状態（大当り状態）か発生している状態の場合に、所定の開閉動作を行う大入賞口の一例である。
【００５２】
また、前述した第１始動口２５、第２始動口４４、一般入賞口５６ａ〜５６ｄ、大入賞口３９に遊技球が入賞したときには、それぞれの入賞口の種類に応じて予め設定されている数の遊技球が上皿２１又は下皿２２に払い出される。
【００５３】
また、本実施形態においては、大当り遊技終了後、転落抽選に当選するまでの間、特別図柄抽選の当選確率が高確率状態となる。また、大当り遊技終了後から１００ゲーム消化するまでの間、普通電動役物４８によるサポートによって特別図柄ゲームの保留球が貯まりやすくなる電サポ（以下、電サポと称する）がＯＮの状態に移行する。なお、大当り遊技終了後の遊技の流れについては、後に図３４を用いて詳述する。ここで、電サポがＯＮの状態においては、通過ゲート５４に遊技球を通過させることが、普通図柄抽選を実行させる条件となるため、右打ちをしながら遊技を進行することになる。また、右打ち状態で大当りが発生した場合には、そのまま右打ちを継統することにより、大入賞口３９へ入賞させることが可能である。また、普通電動役物４８によるサポートが受けられない場合には、左打ちをしながら遊技を進行することになる。
【００５４】
なお、本実施形態において、演出手段の一例として、液晶表示装置を記載したが、本発明はこれに限定されない。演出手段は、プラズマディスプレイや、リアプロジェクションディスプレイや、ＣＲＴディスプレイや、ランプや、スピーカや可動役物等の演出手段であってもよい。
【００５５】
［遊技機の電気的構成］
本実施形態におけるパチンコ遊技機１０の制御回路を示すブロック図を図６に示す。
【００５６】
図６に示すように、パチンコ遊技機１０は、主に、遊技の制御を行う主制御回路６０と、遊技の進行に応じた演出の制御を行う副制御回路２００とから構成される。
【００５７】
主制御回路６０は、メインＣＰＵ６６、メインＲＯＭ６８（読み出し専用メモリ１）、メインＲＡＭ７０（読み書き可能メモリ）を備えている。
【００５８】
メインＣＰＵ６６には、メインＲＯＭ６８、メインＲＡＭ７０等が接続されており、このメインＲＯＭ６８に記憶されたプログラムに従って、各種の処理を実行する機能を有する。例えば、メインＣＰＵ６６は、確変遊技状態において、確変遊技状態の転落抽選を行う。そして、メインＣＰＵ６６は、転落抽選に当選した場合に、遊技状態を確変遊技状態から通常遊技状態に移行させる制御を行う。
【００５９】
また、メインＣＰＵ６６は、遊技状態に基づいて特別図柄変動パターン決定テーブルを選択し、選択された特別図柄変動パターン決定テーブルに基づいて抽選により演出を決定するとともに、決定された演出をサブＣＰＵ２０６に実行させるように制御する処理を行う。
【００６０】
また、メインＣＰＵ６６は、遊技状態を確変遊技状態から通常遊技状態に転落し、且つ、電サポがＯＮである期間において、入賞した遊技球が大当りとなった場合には、その入賞した遊技球の保留が消化されるまでの間は、通常遊技状態であっても、確変中ハズレ時用の特別図柄変動パターン決定テーブルを選択する。そして、選択された特別図柄変動パターン決定テーブルに基づいて抽選により演出を決定するとともに、決定された演出をサブＣＰＵ２０６に実行させるように制御する処理を行う。なお、大当たりに係る保留については、どの特別図柄変動パターン決定テーブルを選択してもよく、例えば、後述する通常時ハズレ時用のテーブル（図２９の（ｂ））を選択してもよいし、専用のテーブル（図示せず）を選択してもよい。なお、専用のテーブルを使用すれば、通常遊技状態に転落後の時短中に引き戻しした旨を報知する演出等を表示することができる。
【００６１】
メインＲＯＭ６８には、メインＣＰＵ６６によりパチンコ遊技機１０の動作を制御するためのプログラム、例えば、図７〜図２２に示す処理をメインＣＰＵ６６に実行させるためのプログラムや、各種のテーブル等が記憶されている。例えば、メインＲＯＭ６８には、転落抽選テーブルや、各遊技状態に対応する特別図柄変動パターン決定テーブルが記憶されている。
【００６２】
メインＲＡＭ７０は、メインＣＰＵ６６の一時記憶領域として種々のフラグや変数の値を記憶する機能を有する。なお、本実施形態においては、メインＣＰＵ６６の一時記憶領域としてメインＲＡＭ７０を用いているが、これに限らず、読み書き可能な記憶媒体であればよい。例えば、メインＲＡＭ７０は、特別図柄の変動が行われているときにおいて、第１始動口２５により遊技球の通過が検出された場合に（つまり、第１始動口２５へ遊技球が入球した場合に）、検出された遊技球の数を保留記憶数として記憶する。具体的には、メインＲＡＭ７０は、第１始動口２５により遊技球の通過が検出される毎に、４つを上限として、保留記憶数を加算する処理を行うとともに、一の特別図柄遊技が終了したことに基づいて、保留記憶数を減算する処理を行う。また、メインＲＡＭ７０は、先読抽選に当選したことを示す先読抽選当選フラグを記憶する。この先読抽選当選フラグについては、入賞球、１個目の保留球、２個目の保留球、及び、３個目の保留球それぞれに対応するフラグを格納する領域が設けられている。
【００６３】
また、この主制御回路６０は、電源投入時においてリセット信号を生成する初期リセット回路６４、Ｉ／Ｏポート７１、コマンド出カポート７２を備えている。また、初期リセット回路６４は、メインＣＰＵ６６に接続されている。Ｉ／Ｏポート７１は、各種のデバイスからの入力信号をメインＣＰＵ６６に、メインＣＰＵ６６からの出力信号を各種のデバイスに送信するものである。コマンド出力ポート７２は、メインＣＰＵ６６からのコマンドを副制御回路２００に送信するものである。また、主制御回路６０は、バックアップコンデンサ７４を備えている。このバックアップコンデンサ７４は、電断時において、例えば、メインＲＡＭ７０に対して速やかに電源を供給することにより、メインＲＡＭ７０に記憶されている各種データを保持することに用いられる。
【００６４】
また、主制御回路６０には、各種の装置が接続されている。
【００６５】
例えば、主制御回路６０からの信号に応じる各種の装置としては、特別図柄ゲームにおける特別図柄の可変表示を行う第１特別図柄表示装置３５ａ及び第２特別図柄表示装置３５ｂ、特別図柄ゲームにおける特別図柄の可変表示の保留個数を表示する第１特別図柄保留表示ＬＥＤ３４ａ、３４ｂ及び第２特別図柄保留表示ＬＥＤ３４ｃ、３４ｄ、普通図柄ゲームにおける識別図柄としての普通図柄の可変表示を行う普通図柄表示装置３３、普通図柄ゲームにおける普通図柄の可変表示の保留個数を表示する普通図柄保留表示ＬＥＤ５０ａ、５０ｂ、普通電動役物４８の舌状部材４８ａを突出状態又は引込状態とする始動口ソレノイド１１８、アタッカ４０を駆動させ、大入賞口３９を開放状態又は閉鎖状態とする大入賞口ソレノイド１２０等が接続されている。また、ホール係員を呼び出す機能や当り回数を表示するといった機能を有する図示しない呼出装置や、ホール全体のパチンコ遊技機を管理するホールコンピュータにデータ送信するために用いる外部端子板３１０が接続されている。
【００６６】
また、例えば、大入賞口３９における領域を遊技球が通過した場合に、所定の検知信号を主制御回路６０に供給するカウントスイッチ１０４、各一般入賞口５６を遊技球が通過した場合に、所定の検知信号を主制御回路６０に供給する一般入賞ロスイッチ１０６、１０８、１１０、１１２、通過ゲート５４を遊技球が通過した場合に、所定の検知信号を主制御回路６０に供給する通過ゲートスイッチ１１４、第１始動口２５を遊技球が入賞した場合に、所定の検知信号を主制御回路６０に供給する第１始動入賞口スイッチ１１６、第２始動口４４を遊技球が入賞した場合に、所定の検知信号を主制御回路６０に供給する第２始動入賞ロスイッチ１１７、電断時等におけるバックアップデータを遊技場の管理者の操作に応じてクリアするバックアップクリアスイッチ１２４等が接続されている。
【００６７】
また、主制御回路６０には、払出・発射制御回路１２６が接続されている。この払出・発射制御回路１２６には、遊技球の払出を行う払出装置１２８、遊技球の発射を行う発射装置１３０、カードユニット３００が接続されている。カードユニット３００は、遊技者の操作によって、カードユニット３００に遊技球の貸し出しを要求する信号を出力する球貸し操作パネル１５５との間で送受信可能である。
【００６８】
払出・発射制御回路１２６は、主制御回路６０から供給される賞球制御コマンド、カードユニット３００から供給される貸し球制御信号を受け取り、払出装置１２８に対して所定の信号を送信することにより、払出装置１２８に遊技球を払い出させる。また、払出・発射制御回路１２６は、発射ハンドル２６が遊技者によって握持され、かっ、時計回り方向へ回動操作されたときには、その回動角度に応じて発射ソレノイドに電力を供給し、遊技球を発射させる制御を行う。
【００６９】
さらには、コマンド出カポート７２には、副制御回路２００が接続されている。この副制御回路２００は、主制御回路６０から供給される各種のコマンドに応じて、液晶表示装置３２における表示制御、スピーカ４６から発生させる音声に関する制御、装飾ランプ等を含むランプの制御等を行う。
【００７０】
なお、本実施形態においては、主制御回路６０から副制御回路２００に対してコマンドを供給するとともに、副制御回路２００から主制御回路６０に対して信号を供給できないように構成したが、これに限らず、副制御回路２００から主制御回路６０に対して信号を送信できるように構成してもよい。
【００７１】
副制御回路２００は、サブＣＰＵ２０６、プログラムＲＯＭ２０８、ワークＲＡＭ２１０、液晶表示装置３２における表示制御を行うための表示制御回路２５０、スピーカ４６から発生させる音声に関する制御を行う音声制御回路２３０、装飾ランプ等を含むランプ１３２の制御を行うランプ制御回路２４０から構成されている。副制御回路２００は、主制御回路６０からの指令に応じて遊技の進行に応じた演出を実行する。また、副制御回路２００には、演出ボタン８０ａ、８０ｂ、８０ｃの操作によってオン、オフされる演出ボタンスイッチ１３４、１３６、１３８が接続されている。
【００７２】
サブＣＰＵ２０６は、このプログラムＲＯＭ２０８に記憶されたプログラムに従って、各種の処理を実行する機能を有する。特に、サブＣＰＵ２０６は、主制御回路６０から供給される各種のコマンドに従って、副制御回路２００の制御を行う。
【００７３】
プログラムＲＯＭ２０８には、サブＣＰＵ２０６によりパチンコ遊技機１０の遊技演出を制御するためのプログラムや各種のテーブルが記憶されている。
【００７４】
なお、本実施形態においては、プログラム、テーブル等を記憶する記憶手段として、メインＲＯＭ６８、プログラムＲＯＭ２０８を用いるように構成したが、これに限らず、制御手段を備えたコンピュータにより読み取り可能な記憶媒体であれば別態様であってもよく、例えば、ハードディスク装置、ＣＤ−ＲＯＭ及びＤＶＤ−ＲＯＭ、ＲＯＭカートリッジ等の記憶媒体に記録されていてもよい。また、これらのプログラムは、予め記録されているものでなくとも、電源投入後にこれらのプログラムをダウンロードし、ワークＲＡＭ２１０等に記録されるものでもよい。さらにまた、プログラムの各々が別々の記憶媒体に記録されていてもよい。
【００７５】
ワークＲＡＭ２１０は、サブＣＰＵ２０６の一時記憶領域として種々のフラグや変数の値を記憶する。なお、本実施形態においては、サブＣＰＵ２０６の一時記憶領域としてワークＲＡＭ２１０を用いているが、これに限らず、読み書き可能な記憶媒体であればよい。
【００７６】
表示制御回路２５０は、液晶表示装置３２の表示制御を行う回路であり、画像データプロセッサ（以下、ＶＤＰと称する。）、各種の画像データを生成するためのデータが記憶されている画像データＲＯＭ、画像データをバッファするフレームバッファ、画像データを画像信号として変換するＤ／Ａコンバータ等から構成されている。
【００７７】
表示制御回路２５０は、サブＣＰＵ２０６から供給されるデータに応じて、液晶表示装置３２に画像を表示させるための種々の処理を行うことができる装置である。表示制御回路２５０は、サブＣＰＵ２０６から供給される画像表示命令に応じて、識別図柄を示す識別図柄画像データ、背景画像データ、演出用画像データ等、各種の画像データ等、液晶表示装置３２に表示させるための画像データを一時的にフレームバッファに格納する。
【００７８】
そして、表示制御回路２５０は、所定のタイミングで、フレームバッファに格納された画像データをＤ／Ａコンバータに供給する。このＤ／Ａコンバータは、画像データを画像信号として変換し、所定のタイミングでこの画像信号を液晶表示装置３２に供給することにより、液晶表示装置３２に画像が表示される。つまり、表示制御回路２５０は、液晶表示装置３２に遊技に関する画像を表示させる制御を行うこととなる。
【００７９】
また、音声制御回路２３０は、音声に関する制御を行う音源ＩＣ、各種の音声データを記憶する音声データＲＯＭ、音声信号を増幅するための増幅器（以下、ＡＭＰと称する。）等から構成されている。
【００８０】
この音源ＩＣは、スピーカ４６から発生させる音声の制御を行う。音源ＩＣは、サブＣＰＵ２０６から供給される音声発生命令に応じて、音声データＲＯＭに記憶されている複数の音声データから一つの音声データを選択する。また、音源ＩＣは、選択された音声データを音声データＲＯＭから読み出し、音声データを所定の音声信号に変換し、その音声信号をＡＭＰに供給する。ＡＭＰは、音声信号を増幅させ、スピーカ４６から音声を発生させる。
【００８１】
ランプ制御回路２４０は、ランプ制御信号を供給するためのドライブ回路、複数種類のランプ装飾パターンが記載されている装飾データＲＯＭ等から構成されている。
【００８２】
［メイン処理］
図７、図８を用いて、メイン処理について以下に説明をする。
【００８３】
ステップＳ１０において、ウォッチドッグタイマのディセーブル設定処理を行う。この処理において、メインＣＰＵ６６は、ウォッチドッグタイマをディセーブルに設定する処理を行う。この処理が終了した場合、ステップＳ１１に処理を移す。
【００８４】
ステップＳ１１において、入出カポートの設定処理を行う。この処理において、メインＣＰＵ６６は、入出力ポートの設定処理を行う。この処理が終了した場合、ステップＳ１２に処理を移す。
【００８５】
ステップＳ１２において、電断検知状態であるか否かを判定する処理を行う。この処理において、メインＣＰＵ６６は、電断検知信号がＨＩ（高レベル）であるか否かを判定する。電断検知信号がＨＩである場合には電断検知状態であると判定してステップＳ１２に処理を移し、電断検知信号がＨＩでない場合には電断検知状態でないと判定してステップＳ１３に処理を移す。
【００８６】
ステップＳ１３において、サブ制御受信受付ウェイト処理を行う。この処理において、メインＣＰＵ６６は、副制御回路２００が信号を受け付けるようになるまで待機する処理を行う。この処理が終了した場合、ステップＳ１４に処理を移す。
【００８７】
ステップＳｌ４において、ＲＡＭの書き込み許可処理を行う。この処理において、メインＣＰＵ６６は、メインＲＡＭ７０への書き込みを許可する処理を行う。この処理が終了した場合、ステップＳ１５に処理を移す。
【００８８】
ステップＳ１５において、バックアップクリアスイッチ１２４（図６参照）がオンであるか否かを判定する処理を行う。この処理において、メインＣＰＵ６６は、バックアップクリアスイッチ１２４（図６参照）がオンであると判定した場合には、ステップＳ３０（図８参照）に処理を移し、バックアップクリアスイッチ１２４がオンでないと判定した場合には、ステップＳ１６に処理を移す。
【００８９】
ステップＳ１６において、電断検知フラグがあるか否かを判定する処理を行う。この処理において、メインＣＰＵ６６は、電断検知フラグがあると判定した場合には、ステップＳ１７に処理を移し、電断検知フラグがあると判定しない場合には、ステップＳ３０（図８参照）に処理を移す。
【００９０】
ステップＳ１７において、作業損傷チェック値を算出する処理を行う。この処理において、メインＣＰＵ６６は、作業領域の損傷チェックを行い、作業損傷チェック値を算出する処理を行う。この処理が終了した場合、ステップＳ１８に処理を移す。
【００９１】
ステップＳ１８において、作業損傷チェック値が正常値か否かを判定する処理を行う。この処理において、メインＣＰＵ６６は、作業損傷チェック値が正常値であると判定した場合には、ステップＳ２０に処理を移し、作業損傷チェック値が正常値であると判定しない場合には、ステップＳ３０（図８参照）に処理を移す。
【００９２】
ステップＳ２０においては、スタックポインタに７ＦＦＥＨを設定する処理を行う。この処理において、メインＣＰＵ６６は、スタックポインタに７ＦＦＥＨを設定する処理を行う。この処理が終了した場合、ステップＳ２１に処理を移す。
【００９３】
ステップＳ２１においては、復電時の作業領域の初期設定処理を行う。この処理において、メインＣＰＵ６６は、復電時の作業領域の初期設定処理を行う。この処理が終了した場合、ステップＳ２２に処理を移す。
【００９４】
ステップＳ２２においては、復電時の高確率遊技状態表示報知設定処理を行う。この処理において、メインＣＰＵ６６は、復電時の高確率遊技状態表示報知設定処理を行う。具体的には、特別図柄ゲームの大当り確率が高確率の遊技状態（所謂、確率変動状態）の場合には、次回の大当りが発生するまで、高確率状態であることを報知する表示が行われるようになる。この処理が終了した場合、ステップＳ２３に処理を移す。なお、報知する表示は、電源投入後の最初の変動開始又は変動終了時に終了する構成としてもよい。
【００９５】
ステップＳ２３においては、復電時のコマンドを送信する処理を行う。この処理において、メインＣＰＵ６６は、副制御回路２００に、電断時の遊技状態に復帰させるためのコマンドを送信する処理を行う。この処理が終了した場合、ステップＳ２４に処理を移す。
【００９６】
ステップＳ２４においては、ＣＰＵ周辺デバイスの初期設定処理を行う。この処理において、メインＣＰＵ６６は、メインＣＰＵ６６周辺のデバイスの初期設定を行う。この処理が終了した場合には、電断前のアドレス、すなわちスタックエリアより復帰されたプログラムカウンタの示すプログラムアドレスへ復帰する。
【００９７】
図８に示すように、ステップＳ３０においては、スタックポインタに８０００Ｈを設定する処理を行う。この処理において、メインＣＰＵ６６は、スタックポインタに８０００Ｈを設定する処理を行う。この処理が終了した場合、ステップＳ３１に処理を移す。
【００９８】
ステップＳ３１においては、大当り判定関連の乱数の初期値を取得する処理を行う。この処理において、メインＣＰＵ６６は、大当り判定関連の乱数の初期値を取得する処理を行う。この処理が終了した場合、ステップＳ３２に処理を移す。
【００９９】
ステップＳ３２においては、全作業領域クリア処理を行う。この処理において、メインＣＰＵ６６は、全作業領域をクリアする処理を行う。この処理が終了した場合、ステップＳ３３に処理を移す。
【０１００】
ステップＳ３３においては、大当り判定関連の乱数の初期値を設定する処理を行う。この処理において、メインＣＰＵ６６は、大当り判定関連の乱数の初期値を設定する処理を行う。この処理が終了した場合、ステップＳ３４に処理を移す。
【０１０１】
ステップＳ３４においては、ＲＡＭの初期化時の作業領域の初期設定処理を行う。この処理において、メインＣＰＵ６６は、メインＲＡＭ７０の初期化時における作業領域の初期設定を行う。この処理が終了した場合、ステップＳ３５に処理を移す。
【０１０２】
ステップＳ３５においては、ＲＡＭの初期化時のコマンドを送信する処理を行う。この処理において、メインＣＰＵ６６は、メインＲＡＭ７０の初期化時のコマンドを副制御回路２００に送信する処理を行う。また、副制御回路２００においては、受信したコマンドに基づいて初期化が実行される。この処理が終了した場合、ステップＳ３６に処理を移す。
【０１０３】
ステップＳ３６においては、ＣＰＵ周辺デバイスの初期設定処理を行う。この処理において、メインＣＰＵ６６は、メインＣＰＵ６６周辺のデバイスの初期設定を行う。この処理が終了した場合、ステップＳ４０に処理を移す。
【０１０４】
ステップＳ４０においては、割込禁止処理を行う。この処理において、メインＣＰＵ６６は、割込処理を禁止する処理を行う。この処理が終了した場含、ステップＳ４１に処理を移す。
【０１０５】
ステップＳ４１においては、初期値乱数更新処理を行う。この処理において、メインＣＰＵ６６は、初期乱数カウンタ値を更新する処理を行う。この処理が終了した場合、ステップＳ４２に処理を移す。
【０１０６】
ステップＳ４２においては、割込許可処理を行う。この処理において、メインＣＰＵ６６は、割込処理を許可する処理を行う。この処理が終了した場合、ステップＳ４３に処理を移す。
【０１０７】
ステップＳ４３において、演出用乱数更新処理を行う。この処理において、メインＣＰＵ６６は、演出用乱数カウンタ値を更新する処理を行う。この処理が終了した場合、ステップＳ４４に処理を移す。
【０１０８】
ステップＳ４４において、メインＣＰＵ６６は、システムタイマ監視タイマ値が３以上であるか否かを判定する。この処理において、メインＣＰＵ６６は、メインＲＡＭ７０に記憶されるシステムタイマ監視タイマ値を参照し、システムタイマ監視タイマ値が３以上である場合には、ステップＳ４５に処理を移し、システムタイマ監視タイマ値が３以上でない場合には、ステップＳ４０に処理を移す。
【０１０９】
ステップＳ４５においては、システムタイマ監視タイマの値を３減算する処理を行う。この処理において、メインＣＰＵ６６は、メインＲＡＭ７０に記憶されるシステムタイマ監視タイマの値を３減算する処理を行う。この処理が終了した場合、ステップＳ４６に処理を移す。
【０１１０】
ステップＳ４６においては、タイマ更新処理を行う。この処理において、メインＣＰＵ６６は、主制御回路６０と副制御回路２００との同期をとるための待ち時間タイマ、大当りが発生した際に開放する大入賞口３９の開放時間を計測するための大入賞口開放時間タイマなど、各種のタイマを更新する処理を実行する。この処理が終了した場合には、ステップＳ４７に処理を移す。
【０１１１】
ステップＳ４７においては、特別図柄制御処理を行う。詳しくは後述するが、この処理において、メインＣＰＵ６６は、特別図柄制御処理を行う。メインＣＰＵ６６は、第１始動入賞口スイッチ１１６、第２始動入賞口スイッチ１１７からの検知信号に応じて、当り判定用乱数値と当り図柄決定用乱数値を抽出し、メインＲＯＭ６８に記憶される当り判定テーブルを参照し、特別図柄抽選（大当り又は小当り）に当選したか否かを判症し、判定の結果をメインＲＡＭ７０に記憶する処理を行う。この処理が終了した場合、ステップＳ４８に処理を移す。
【０１１２】
ステップＳ４８においては、普通図柄制御処理を行う。詳しくは後述するが、この処理において、メインＣＰＵ６６は、普通図柄制御処理を行う。この処理において、メインＣＰＵ６６は、通過ゲートスイッチ１１４からの検知信号に応じて、乱数値を抽出し、メインＲＯＭ６８に記憶される普通図柄当選テーブルを参照し、普通図柄抽選に当選したか否かを判定し、判定の結果をメインＲＡＭ７０に記憶する処理を行う。なお、普通図柄抽選に当選した場合、普通電動役物４８が突出状態となって、第２始動口４４に遊技球が入球しやすくなる。この処理が終了した場合、ステップＳ４９に処理を移す。
【０１１３】
ステップＳ４９においては、図柄表示装置制御処理を行う。この処理において、メインＣＰＵ６６は、ステップＳ４７、ステップＳ４８でメインＲＡＭ７０に記憶された特別図柄制御処理の結果と、普通図柄制御処理の結果に応じて、第１特別図柄表示装置３５ａ又は第２特別図柄表示装置３５ｂと、普通図柄表示装置３３とを駆動するための制御信号をメインＲＡＭ７０に記憶する処理を行う。メインＣＰＵ６６は、制御信号を特別図柄表示装置３５に制御信号を送信する。第１特別図柄表示装置３５ａ又は第２特別図柄表示装置３５ｂは受信した制御信号に基づき特別図柄を変動表示及び停止表示する。普通図柄表示装置３３は受信した制御信号に基づき普通図柄を変動表示及び停止表示する。この処理が終了した場合、ステップＳ５０に処理を移す。
【０１１４】
ステップＳ５０においては、遊技情報データ生成処理を行う。この処理において、メインＣＰＵ６６は、台コンピュータ又はホールコンピュータに送信するための遊技情報信号に関するデータを生成し、メインＲＡＭ７０に記憶する処理を行う。この処理が終了した場合、ステップＳ５１に処理を移す。
【０１１５】
ステップＳ５１においては図柄保留個数データ生成処理を行う。この処理において、メインＣＰＵ６６は、後述するタイマ割込処理におけるスイッチ入力処理（図２０、ステップＳ８４０）にて検出される第１始動入賞ロスイッチ１１６、第２始動入賞ロスイッチ１１７及び通過ゲートスイッチ１１４からの検知信号や、特別図柄及び普通図柄の変動表示の実行に応じて更新されるメインＲＡＭ７０に記憶された保留個数データの更新結果に基づいて、第１特別図柄保留表示ＬＥＤ３４ａ、３４ｂ、第２特別図柄保留表示ＬＥＤ３４ｃ、３４ｄ及び普通図柄保留表示ＬＥＤ５０ａ、５０ｂを駆動するための制御信号をメインＲＡＭ７０に記憶する処理を行う。この処理が終了した場合、ステップＳ５２に処理を移す。
【０１１６】
ステップＳ５２においては、ポート出力処理を行う。この処理において、メインＣＰＵ６６は、上記のステップなどでメインＲＡＭ７０に記憶される制御信号を各ポートより出力する処理を行う。具体的には、ＬＥＤ点灯のためのＬＥＤ電源（コモン信号）や大入賞口３９の開閉や普通電動役物４８の舌状部材４８ａの開閉を行うソレノイド駆動のためのソレノイド電源を供給する。この処理が終了した場合、ステップＳ５３に処理を移す。
【０１１７】
ステップＳ５３においては、入賞口関連コマンド制御処理を行う。この処理において、メインＣＰＵ６６は、入賞口関連コマンドを制御する処理を行う。この処理が終了した場合、ステップＳ５４に処理を移す。
【０１１８】
ステップＳ５４においては、払出処理を行う。この処理において、メインＣＰＵ６６は、大入賞口３９、第１始動口２５、第２始動口４４、一般入賞口５６ａ〜５６ｄに遊技球が入賞したか否かのチェックを行い、入賞があった場合、それぞれに対応する払出要求コマンドを払出・発射制御回路１２６に送信する。この処理が終了した場合には、ステップＳ４０に処理を移す。
【０１１９】
［特別図柄制御処理］
図８のステップＳ４７において実行されるサブルーチン（特別図柄制御処理）について図９を用いて説明する。なお、図９において、ステップＳ１０１からステップＳ１０８の側方に描いた数値は、それらのステップに対応する制御状態フラグを示し、メインＲＡＭ７０における制御状態フラグとして機能する記憶領域に記憶されている。メインＣＰＵ６６は、メインＲＡＭ７０に記憶されている制御状態フラグの数値に応じて、その数値に対応する１つのステップが実行され、特別図柄ゲームが進行することになる。
【０１２０】
最初に、ステップＳ１００において、制御状態フラグをロードする処理を実行する。この処理において、メインＣＰＵ６６は、制御状態フラグを読み出す。この処理が終了した場合には、ステップＳ１０１に処理を移す。
【０１２１】
なお、後述するステップＳ１０１からステップＳ１０８において、メインＣＰＵ６６は、後述するように、制御状態フラグの値に基づいて、各ステップにおける各種の処理を実行するか否かを判定する。この制御状態フラグは、特別図柄ゲームの遊技の状態を示すものであり、ステップＳ１０１からステップＳ１０８における処理のいずれかを実行可能にするものである。また、それに加えて、メインＣＰＵ６６は、各ステップに対して設定された待ち時間タイマなどに応じて決定される所定のタイミングで各ステップにおける処理を実行する。なお、この所定のタイミングに至る前においては、各ステップにおける処理を実行することなく終了することになり、他のサブルーチンを実行することになる。もちろん、所定の周期でシステムタイマ割込処理も実行する。
【０１２２】
ステップＳ１０１においては、特別図柄記憶チェック処理を実行する。この処理の詳細については後述する。この処理が終了した場合には、ステップＳ１０２に処理を移す。
【０１２３】
ステップＳ１０２においては、特別図柄変動時間管理処理を実行する。この処理の詳細については後述するが、この処理において、メインＣＰＵ６６は、制御状態フラグが特別図柄変動時間管理を示す値（０１Ｈ）であり、変動時間が経過した場合に、特別図柄表示時間管理を示す値（０２Ｈ）を制御状態フラグにセットし、確定後待ち時間（例えば６００ｍｓ）を待ち時間タイマにセットする。つまり、確定後待ち時間が経過した後、ステップＳ１０３の処理を実行するように設定する。この処理が終了した場合には、ステップＳ１０３に処理を移す。
【０１２４】
ステップＳ１０３においては、特別図柄表示時間管理処理を実行する。この処理の詳細については後述するが、この処理においては、メインＣＰＵ６６は、制御状態フラグが特別図柄表示時間管理を示す値（０２Ｈ）であり、確定後待ち時間が経過した場合に、当り（大当り又は小当り）か否かを判定する。メインＣＰＵ６６は、当りである場合に、当り開始インターバル管理を示す値（０３Ｈ）を制御状態フラグにセットし、当り開始インターバルに対応する時間を待ち時間タイマにセットする。つまり、当り開始インターバルに対応する時間が経過した後、ステップＳ１０４の処理を実行するように設定するのである。一方、メインＣＰＵ６６は、当りではない場合に、特別図柄ゲーム終了を示す値（０７Ｈ）をセットする。つまり、ステップＳ１０８の処理を実行するように設定するのである。この処理が終了した場合には、ステップＳ１０４に処理を移す。
【０１２５】
ステップＳ１０４においては、当り開始インターバル管理処理を実行する。この処理の詳細については後述するが、この処理において、メインＣＰＵ６６は、制御状態フラグが当り開始インターバル管理を示す値（０３Ｈ）であり、その当り開始インターバルに対応する時間が経過した場合に、メインＲＯＭ６８から読み出された大入賞口３９を開放させるためのデータをメインＲＡＭ７０に記憶する。そして、メインＣＰＵ６６は、図８のステップＳ５２の処理において、メインＲＡＭ７０に記憶された大入賞口３９を開放させるためのデータを読み出し、大入賞口３９を開放させる旨の信号を、大入賞ロソレノイド１２０に供給する。このように、メインＣＰＵ６６などは、大入賞口３９の開閉制御を行う。つまり、所定の有利な遊技状態（大入賞口３９が遊技球を受け入れやすい開放状態から大入賞口３９が遊技球を受け入れ難い閉鎖状態までの遊技状態）が提供される一のラウンドゲームを１５ラウンド繰り返し行う大当り遊技、又は大入賞口３９を２回開放させる小当り遊技が実行されることになる。
【０１２６】
さらに、メインＣＰＵ６６は、大入賞口開放中を示す値（０４Ｈ）を制御状態フラグにセットするとともに、開放上限時間（例えば、約０．１秒あるいは約３０秒）を大入賞口開放時間タイマにセットする。つまり、ステップＳ１０６の処理を実行するように設定するのである。この処理が終了した場合には、ステップＳ１０５に処理を移す。
【０１２７】
ステップＳ１０５においては、大入賞口再開放前待ち時間管理処理を実行する。この処理の詳細については後述するが、この処理において、メインＣＰＵ６６は、制御状態フラグが大入賞口再開放前待ち時間管理を示す値（０５Ｈ）であり、ラウンド間インターバルに対応する時間が経過した場合に、大入賞口開放回数カウンタを“１”増加するように記憶更新する。メインＣＰＵ６６は、大入賞口開放中を示す値（０４Ｈ）を制御状態フラグにセットする。メインＣＰＵ６６は、開放上限時間（例えば、約０．１秒あるいは約３０秒）を大入賞口開放時間タイマにセットする。つまり、ステップＳ１０６の処理を実行するように設定するのである。この処理が終了した場合には、ステップＳ１０６に処理を移す。
【０１２８】
ステップＳ１０６においては、大入賞口開放処理を実行する。この処理の詳細については後述するが、この処理において、メインＣＰＵ６６は、制御状態フラグが大入賞口開放中を示す値（０４Ｈ）である場合に、大入賞口入賞カウンタが“７”以上であるという条件、開放上限時間を経過した（大入賞口開放時間タイマが“０”である）という条件のいずれかを満たすか否かを判定する。メインＣＰＵ６６は、いずれかの条件を満たした場合に、大入賞口３９を閉鎖させるために、メインＲＡＭ７０に位置付けられた変数を更新する。そして、大入賞口開放回数カウンタが大入賞口開放回数最大値以上である（最終ラウンドである）という条件を満たすか否かを判定する。メインＣＰＵ６６は、最終ラウンドである場合に、当り終了インターバルを示す値（０６Ｈ）を制御状態フラグにセットする一方、最終ラウンドでない場合に、大入賞口再開放前待ち時間管理を示す値（０５Ｈ）を制御状態フラグにセットする。この処理が終了した場合には、ステップＳ１０７に処理を移す。
【０１２９】
ステップＳ１０７においては、当り終了インターバル処理を実行する。この処理の詳細については後述するが、この処理において、メインＣＰＵ６６は、制御状態フラグが当り終了インターバルを示す値（０６Ｈ）であり、当り終了インターバルに対応する時間が経過した場合に、特別図柄ゲーム終了を示す値（０７Ｈ）を制御状態フラグにセットする。つまり、ステップＳ１０８の処理を実行するように設定するのである。この処理が終了した場合には、ステップＳ１０８に処理を移す。
【０１３０】
ステップＳ１０８においては、特別図柄ゲーム終了処理を実行する。この処理の詳細については後述するが、この処理において、メインＣＰＵ６６は、制御状態フラグが特別図柄ゲーム終了を示す値（０７Ｈ）である場合に、特別図柄記憶チェックを示す値（００Ｈ）をセットする。つまり、ステップＳ１０１の処理を実行するように設定するのである。この処理が終了した場合には、本サブルーチンを終了する。
【０１３１】
前述したように、制御状態フラグをセットすることにより、特別図柄ゲームが実行されることとなる。具体的には、メインＣＰＵ６６は、大当り又は小当り遊技状態ではない場合において、当り判定の結果がハズレであるときには、制御状態フラグを“００Ｈ”、“０１Ｈ”、“０２Ｈ”、“０７Ｈ”と順にセットすることにより、図９に示すステップＳ１０１、ステップＳ１０２、ステップＳ１０３、ステップＳ１０８の処理を所定のタイミングで実行することとなる。また、メインＣＰＵ６６は、大当り又は小当り遊技状態ではない場合において、当り判定の結果が大当り又は小当りであるときには、制御状態フラグを“００Ｈ”、“０１Ｈ”、“０２Ｈ”、“０３Ｈ”と順にセットすることにより、図９に示すステップＳ１０１、ステップＳ１０２、ステップＳ１０３、ステップＳｌ０４の処理を所定のタイミングで実行し、大当り又は小当り遊技状態への制御を実行することになる。さらには、メインＣＰＵ６６は、大当り又は小当り遊技状態への制御が実行された場合には、制御状態フラグを“０４Ｈ”、“０５Ｈ”と順にセットすることにより、図９に示すステップＳ１０６、ステップＳ１０５の処理を所定のタイミングで実行し、大当り又は小当り遊技を実行することとなる。なお、大当り又は小当り遊技の終了条件が成立した場合には、“０４Ｈ”、“０６Ｈ”、“０７Ｈ”と順にセットすることにより、図９に示すステップＳ１０５、ステップＳ１０７からステップＳ１０８の処理を所定のタイミングで実行し、大当り又は小当り遊技を終了することになる。
【０１３２】
ところで、特別図柄制御処理は、上述したように、ステータスに応じて処理を分岐させている。また、詳述しないが、普通図柄制御処理も同様にステータスに応じて処理を分岐させている。本実施形態においては、ステータスに応じて処理を分岐させて行う場合のコール命令で、小モジュールから親モジュールへの純粋な戻り処理が可能なように、プログラミングされている。このプログラムの一例については、図３０を用いて後述する。このようにプログラミングすることで、ジャンプテーブルを配置する場合と比較して、プログラムの容量を削減することができる。
【０１３３】
［特別図柄記憶チェック処理］
図９のステップＳ１０１において実行されるサブルーチン（特別図柄記憶チェック処理）について図１０を用いて説明する。
【０１３４】
最初に、図１０に示すように、ステップＳ１１０において、メインＣＰＵ６６は、制御状態フラグが特別図柄記憶チェックを示す値（００Ｈ）であるか否かの判定を行う。メインＣＰＵ６６は、制御状態フラグが特別図柄記憶チェックを示す値であると判別した場合には、ステップＳ１１１に処理を移す。一方、メインＣＰＵ６６は、制御状態フラグが特別図柄記憶チェックを示す値であるとは判定しなかった揚合には、本サブルーチンを終了する。
【０１３５】
ステップＳ１１１において、始動記憶の有無を判定する処理を行う。この処理において、メインＣＰＵ６６は、特別図柄ゲームの始動記憶がないと判定した場合、すなわち第１特別図柄始動記憶領域（０）〜第１特別図柄始動記憶領域（４）又は第２特別図柄始動記憶領域（０）〜第２特別図柄始動記憶領域（４）にデータが記憶されていない場合には、ステップＳ１１２に処理を移す。一方、メインＣＰＵ６６は、始動記憶があると判定した場合には、ステップＳ１１３に処理を移す。
【０１３６】
ステップＳ１１２において、デモ表示処理を行う。この処理において、メインＣＰＵ６６は、メインＲＡＭ７０にデモ表示許可値をセットする処理を行う。さらに特別図柄ゲームの始動記憶（当り判定用乱数値が記憶されている第１特別図柄始動記憶領域又は第２特別図柄始動記憶領域）が０になった状態が所定時間（例えば、３０秒）維持された揚合、デモ表示許可値として、デモ表示の実行を許可する値をセットする。そして、メインＣＰＵ６６は、デモ表示許可値が所定値であった場合に、デモ表示コマンドデータをセットする処理を行う。このように記憶されたデモ表示コマンドデータは、主制御回路６０のメインＣＰＵ６６から副制御回路２００のサブＣＰＵ２０６にデモ表示コマンドとして供給される。これによって、副制御回路２００において、デモ表示が液晶表示装置３２において実行されることとなる。この処理が終了した場合には、本サブルーチンを終了する。
【０１３７】
ステップＳ１１３において、第２特別図柄に対応する始動記憶が０であるか否かを判定する処理を行う。この処理において、メインＣＰＵ６６は、第２特別図柄始動記憶領域（０）〜第２特別図柄始動記憶頒域（４）のデータの有無を判別し、第２特別図柄に対応する始動記憶が０である、すなわち、第２特別図柄始動記憶領或（０）〜第２特別図柄始動記憶領域（４）にデータが記憶されていないと判定した場合には、ステップＳ１１５に処理を移す。第２特別図柄に対応する始動記憶が０でない、すなわち、第２特別図柄始動記憶領域（０）〜第２特別図柄始動記憶領域（４）にデータが記憶されていると判定した場合には、ステップＳ１１４に処理を移す。
【０１３８】
ステップＳ１１４において、メインＣＰＵ６６は、変動状態番号として第２特別図柄の変動であることを示す値（０２Ｈ）をメインＲＡＭ７０の所定領域にセットする処理を実行する。この処理が終了した場合には、ステップＳ１１６に処理を移す。
【０１３９】
ステップＳ１１５において、メインＣＰＵ６６は、変動状態番号として第１特別図柄の変動であることを示す値（０１Ｈ）をメインＲＡＭ７０の所定領域にセットする処理を実行する。この処理が終了した場合には、ステップＳ１１６に処理を移す。
【０１４０】
ステップＳ１１６において、メインＣＰＵ６６は、制御状態フラグとして特別図柄変動時間管理を示す値（０１Ｈ）をセットする処理を実行する。この処理が終了した場合には、ステップＳ１１７に処理を移す。
【０１４１】
ステップＳ１１７において、特別図柄記憶転送処理を実行する。この処理において、メインＣＰＵ６６は、変動表示させる特別図柄が第１特別図柄の場合には、第１特別図柄始動記憶領域（１）から第１特別図柄始動記憶領域（４）のデータのそれぞれを、第１特別図柄始動記憶領域（０）から第１特別図柄始動記憶領域（３）にシフト（記憶）する処理を実行し、変動表示させる特別図柄が第２特別図柄の場合には、第２特別図柄始動記憶領域（１）から第２特別図柄始動記憶領域（４）のデータのそれぞれを、第２特別図柄始動記憶領城（０）から第２特別図柄始動記憶領域（３）にシフト（記憶）する処理を実行する。この処理が終了した場合には、ステップＳ１１８に処理を移す。
【０１４２】
ステップＳ１１８において、大当り判定処理を実行する。この処理において、メインＣＰＵ６６は、高確率フラグを読み出し、読み出した高確率フラグに基づいて、大当りとなる判定値（大当り判定値）の数が異なる複数の当り判定テーブルから１つの当り判定テーブルを選択する。すなわち、高確率フラグが所定の値である場合には、大当り判定値の数が多い高確率用の当り判定テーブルが参照され、高確率フラグが所定の値でない場合には、大当り判定値が少ない通常用の当り判定テーブルが参照される。このように、遊技状態フラグが所定の値である場合、つまり遊技状態が高確率状態（確変状態）である場合には、大当り遊技状態に移行する確率は、通常時よりも向上することとなる。このように、メインＣＰＵ６６は、遊技球通過検出手段（第１始動口２５、第２始動口４４）により遊技球の通過が検出された場合に、遊技者にとって有利な遊技状態への移行契機となる第１の当り又は第１の当りに比較して、遊技者にとって有利となる度合いか低い第２の当りであるか否かの抽選を行う抽選手段の一例である。
【０１４３】
そして、メインＣＰＵ６６は、始動入賞時に抽出され、第１特別図柄始動記憶領域（０）と第２特別図柄始動記憶領域（０）において先にセットされた特別図柄始動記憶領域の当り判定用乱数値と、選択された当り判定テーブルとを参照する。そして、メインＣＰＵ６６は、当り判定用乱数値と大当り判定値が一致している場合には、大当りであると判定する。つまり、メインＣＰＵ６６は、遊技者に有利な大当り遊技状態とするか否かの判定を行うこととなる。この処理が終丁した場合には、ステップＳｌ１９に処理を移す。このように、メインＣＰＵ６６は、抽選手段による抽選の結果が第１の当り（大当り１又は第２の当り（小当り）の場合に、遊技者にとって有利な有利遊技状態を発生させる制御を行う有利遊技状態発生制御手段の一例である。
【０１４４】
ステップＳ１１９において、小当り判定処理を実行する。この小当り判定処理は、ステップＳ１１８における大当り判定処理において、大当り判定ではなかった場合に実行される。この処理において、メインＣＰＵ６６は、第１特別図柄始動記憶領域（０）と第２特別図柄始動記憶領域（０）において先にセットされた特別図柄始動記憶領域の当り判定用乱数値と、予め設定されている小当りの判定値が一致しているか否かを判定し、当り判定用乱数値と小当り判定値が一致している場合には、小当りであると判定する。一致していない場合にはハズレであると判定する。
【０１４５】
本実施形態においては、第１特別図柄始動記憶領域に記憶されている当り判定用乱数値と参照する当り判定テーブルとして、通常用と高確率用（確変用）の２種類が用意されており、第２特別図柄始動記憶領域に記憶されている当り判定用乱数値と参照する当り判定テーブルとして、通常用と高確率用（確変用）の２種類が用意されており、合計４種類の当り判定テーブルが用意されている。なお、通常用の２種類の当り判定テーブルはそれぞれ大当り確率が同じであり、また高確率用の２種類の当り判定テーブルはそれぞれ大当り確率が同じである。その一方で、第１特別図柄始動記憶領域に記憶されている当り判定用乱数値と参照する、通常用の当り判定テーブルと高確率用（確変用）の当り判定テーブルにおける小当り判定値の数は同じである。また、第２特別図柄始動記憶領域に記憶されている当り判定用乱数値と参照する、通常用の当り判定テーブルと高確率用（確変用）の当り判定テーブルにおける小当り判定値の数は同じである。
【０１４６】
なお、通常遊技の第１始動口２５への入賞による小当り確率は、第２始動口４４への入賞による小当り確率より、大きくしてもあるいは小さくしてもよい。通常遊技の第１始動口２５への入賞による大当り確率は、第２始動口４４への入賞による大当り確率より、大きくしてもあるいは小さくしてもよい。
【０１４７】
このように、ステップＳ１１８、Ｓ１１９の処理によって、特別図柄ゲームの結果として大当り、小当り、ハズレのいずれかが決定される。この処理が終了した場合には、ステップＳ１２０に処理を移す。
【０１４８】
ステップＳ１２０において、メインＣＰＵ６６は、特別図柄決定処理を実行する。この処理において、メインＣＰＵ６６は、当り判定の結果が大当りの場合には、大当り図柄を決定し、当り判定の結果が小当りの場合には、小当り図柄を決定し、大当りでも小当りでもない場合、すなわちハズレの場合には、ハズレ図柄を決定する処理を行う。なお、特別図柄決定処理の詳細については後述する。この処理が終了した場合には、ステップＳ１２１に処理を移す。
【０１４９】
ステップＳ１２１において、メインＣＰＵ６６は、特別図柄変動パターン決定処理を実行する。この処理において、メインＣＰＵ６６は、ステップＳ１２０の処理において決定された特別図柄と、ステップＳ１１８の処理において決定された当り判定の結果と、現在の遊技状態に基づいて、特別図柄変動パターンを決定するための変動パターン決定テーブル（図２９参照）を選択する。
【０１５０】
例えば、原則として、確変遊技状態であって大当り判定がハズレである場合には、確変中ハズレ時用の特別図柄変動パターン決定テーブル（図２９（ａ）参照）が選択され、通常遊技状態であって大当り判定がハズレである場合には、通常時ハズレ時用の特別図柄変動パターン決定テーブル（図２９（ｂ）参照）が選択される。ここで、本実施形態では、遊技状態を確変遊技状態から通常遊技状態に転落し、且つ、電サポがＯＮである期間においては、通常遊技状態であっても、確変中ハズレ時用の特別図柄変動パターン決定テーブルが選択される場合がある。つまり、遊技状態を確変遊技状態から通常遊技状態に転落し、且つ、電サポがＯＮである期間において、入賞した遊技球の抽選の結果が大当りとなった場合には、その入賞した遊技球の保留が消化されるまでの間は、通常遊技状態であっても、確変中ハズレ時用の特別図柄変動パターン決定テーブルが選択される。
【０１５１】
そして、メインＣＰＵ６６は、演出条件判定用乱数カウンタから抽出した演出条件判定用乱数値と選択した変動パターン決定テーブルとに基づいて、変動パターンを決定し、メインＲＡＭ７０の所定領域に記憶する。メインＣＰＵ６６は、このような変動パターンを示すデータに基づいて、第１特別図柄表示装置３５ａ又は第２特別図柄表示装置３５ｂにおける特別図柄の変動表示態様を決定する。
【０１５２】
このように記憶された変動パターンを示すデータは、第１特別図柄表示装置３５ａ又は第２特別図柄表示装置３５ｂに供給される。これによって、第１特別図柄表示装置３５ａ又は第２特別図柄表示装置３５ｂに、特別図柄が決定した変動パターンで変動表示することとなる。また、このように記憶された変動パターンを示すデータは、主制御回路６０のメインＣＰＵ６６から副制御回路２００のサブＣＰＵ２０６に特図変動パターン指定コマンドとして供給される。副制御回路２００のサブＣＰＵ２０６は、受信した特図変動パターン指定コマンドに応じた演出表示を実行することとなる。この処理が終了した場合には、ステップＳ１２２に処理を移す。
【０１５３】
ステップＳ１２２において、特別図柄変動時間設定処理を行う。この処理において、メインＣＰＵ６６は、決定した特別図柄変動パターンに対応する変動時間を待ち時間タイマにセットし、今回の変動表示に用いられた記憶領域をクリアする処理を実行する。この処理が終了した場合には、ステップＳ１２３に処理を移す。
【０１５４】
ステップＳ１２３において、メインＣＰＵ６６は、転落抽選処理を実行する。この処理において、メインＣＰＵ６６は、確変遊技状態を終わらせて通常遊戯状態に移行するか否かを抽選する処理を行う。なお、転落抽選処理の詳細については後述する。この処理が終了した場合には、ステップＳ１２４に処理を移す。
【０１５５】
ステップＳ１２４において、特別図柄演出開始コマンドをメインＲＡＭ７０にセットする処理を行う。特別図柄演出開始コマンドは、主制御回路６０のメインＣＰＵ６６から副制御回路２００のサブＣＰＵ２０６に供給される。副制御回路２００のサブＣＰＵ２０６は、受信した特別図柄演出開始コマンドに基づいて演出を開始することとなる。この処理が終了した場合には、ステップＳ１２５に処理を移す。
【０１５６】
そして、ステップＳ１２５において、メインＣＰＵ６６は、今回の変動表示に用いられた記憶領域（０）の値をクリアする処理を実行する。この処理が終了した場合には、本サブルーチンを終了する。
【０１５７】
［特別図柄決定処理］
図１０のステップＳ１２０において実行されるサブルーチン（特別図柄決定処理）について図１１を用いて説明する。
【０１５８】
最初に、ステップＳ１５０において、メインＣＰＵ６６は、大当り判定（ステップＳ１１８）の結果、大当りか否かを判定する処理を行う。大当りであると判定した場合には、ステップＳ１５１に処理を移す。大当りであると判定しない場合には、ステップＳｌ５６に処理を移す。
【０１５９】
ステップＳ１５１において、メインＣＰＵ６６は、変動状態番号が（０１Ｈ）であるか否かを判定する処理を行う。変動状態番号が（０１Ｈ）であると判定した場合には、ステップＳ１５２に処理を移す。変動状態番号が（０１Ｈ）であると判定しない場合には、ステップＳ１５４に処理を移す。
【０１６０】
ステップＳｌ５２において、第１特別図柄の大当り図柄を決定する処理を行う。この処理において、メインＣＰＵ６６は、大当り図柄決定用カウンタから抽出した大当り図柄決定用乱数値と当り判定テーブルに基づいて、第１特別図柄の大当り図柄を決定する処理を行う。この処理が終了した場合には、ステップＳ１５３に処理を移す。
【０１６１】
ステップＳ１５３において、第１特別図柄の大当り図柄のデータセット及び大当り図柄のコマンドセットを行う。この処理において、メインＣＰＵ６６は、第１特別図柄の大当り図柄のデータを、メインＲＡＭ７０の所定領域にセットし、第１特別図柄表示装置３５ａに供給する。第１特別図柄表示装置３５ａは第１特別図柄を変動表示させて、第１特別図柄の大当り図柄のデータに基づく態様で停止表示させる。また、メインＣＰＵ６６は、第１特別図柄の大当り図柄のコマンドを、メインＲＡＭ７０の所定領域にセットし、主制御回路６０のメインＣＰＵ６６から副制御回路２００のサブＣＰＵ２０６に特別図柄指定コマンドとして供給する。これによって、副制御回路２００の制御によって、識別図柄が大当り停止表示態様で液晶表示装置３２に導出表示されることとなる。この処理が終了した場合には、ステップＳ１６２に処理を移す。
【０１６２】
ステップＳ１５４において、第２特別図柄の大当り図柄を決定する処理を行う。この処理において、メインＣＰＵ６６は、大当り図柄決定用カウンタから抽出した大当り図柄決定用乱数値と当り判定テーブルに基づいて、第２特別図柄の大当り図柄を決定する処理を行う。この処理が終了した場合には、ステップＳ１５５に処理を移す。
【０１６３】
ステップＳ１５５において、第２特別図柄の大当り図柄のデータセット及び大当り図柄のコマンドセットを行う。この処理において、メインＣＰＵ６６は、第２特別図柄の大当り図柄のデータを、メインＲＡＭ７０の所定領域にセットし、第２特別図柄表示装置３５ｂに供給する。第２特別図柄表示装置３５ｂは第２特別図柄を変動表示させて、第２特別図柄の大当り図柄のデータに基づく態様で停止表示させる。また、メインＣＰＵ６６は、第２特別図柄の大当り図柄のコマンドを、メインＲＡＭ７０の所定領域にセットし、主制御回路６０のメインＣＰＵ６６から副制御回路２００のサブＣＰＵ２０６に特別図柄指定コマンドとして供給する。副制御回路２００の制御によって、識別図柄が大当り停止表示態様で液晶表示装置３２に導出表示されることとなる。この処理が終了した場合には、ステップＳ１６２に処理を移す。
【０１６４】
ステップＳ１５６において、メインＣＰＵ６６は、小当り判定（ステップＳ１１９）の結果、小当りか否かを判定する処理を行う。小当りであると判定した場合には、ステップＳ１５７に処理を移す。小当りであると判定しない場合には、ステップＳ１６４に処理を移す。
【０１６５】
ステップＳ１５７において、メインＣＰＵ６６は、変動状態番号が（０１Ｈ）であるか否かを判定する処理を行う。変動状態番号が（０１Ｈ）であると判定した場合には、ステップＳ１５８に処理を移す。変動状態番号が（０１Ｈ）であると判定しない場合には、ステップＳ１６０に処理を移す。
【０１６６】
ステップＳ１５８において、第１特別図柄の小当り図柄を決定する処理を行う。この処理において、メインＣＰＵ６６は、大当り図柄決定用カウンタから抽出した乱数値に応じて、第１特別図柄の小当り図柄を決定する処理を行う。この処理が終了した場合には、ステップＳ１５９に処理を移す。
【０１６７】
ステップＳ１５９において、第１特別図柄の小当り図柄のデータセット及び小当り図柄のコマンドセットを行う。この処理において、メインＣＰＵ６６は、第１特別図柄の小当り図柄のデータを、メインＲＡＭ７０の所定領域にセットし、第１特別図柄表示装置３５ａに供給する。また、メインＣＰＵ６６は、第１特別図柄の小当り図柄のコマンドを、メインＲＡＭ７０の所定領城にセットし、主制御回路６０のメインＣＰＵ６６から副制御回路２００のサブＣＰＵ２０６に特別図柄指定コマンドとして供給する。これによって、副制御回路２００の制御によって、識別図柄が小当り停止表示態様で識別図柄が液晶表示装置３２に導出表示されることとなる。この処理が終了した場合には、ステップＳ１６２に処理を移す。このように、メインＣＰＵ６６は、抽選手段（メインＣＰＵ６６）による抽選の結果に基づいて、抽選結果表示手段（特別図柄表示装置３５）の制御を行う抽選結果表示制御手段の一例である。
【０１６８】
ステップＳ１６０において、第２特別図柄の小当り図柄を決定する処理を行う。この処理において、メインＣＰＵ６６は、大当り図柄決定用カウンタから抽出した乱数値に基づいて、第２特別図柄の小当り図柄を決定する処理を行う。この処理が終了した場合には、ステップＳ１６１に処理を移す。
【０１６９】
ステップＳ１６１において、第２特別図柄の小当り図柄のデータセット及び小当り図柄のコマンドセットを行う。この処理において、メインＣＰＵ６６は、第２特別図柄の小当り図柄のデータを、メインＲＡＭ７０の所定領城にセットし、第２特別図柄表示装置３５ｂに供給する。また、メインＣＰＵ６６は、第２特別図柄の小当り図柄のコマンドを、メインＲＡＭ７０の所定領域にセットし、主制御回路６０のメインＣＰＵ６６から副制御回路２００のサブＣＰＵ２０６に特別図柄指定コマンドとして供給する。これによって、副制御回路２００の制御によって、識別図柄が小当り停止表示態様で液晶表示装置３２に導出表示されることとなる。この処理が終了した場合には、ステップＳ１６２に処理を移す。
【０１７０】
ステップＳ１６２において、当り図柄（大当り図柄、小当り図柄）に対応する当り開始インターバル表示時間データセットを行う。この処理において、メインＣＰＵ６６は、メインＲＡＭ７０の所定領城に当り図柄（大当り図柄、小当り図柄）に対応する当り開始インターバル表示時間データをメインＲＡＭ７０にセットする処理を行う。この処理が終了した場合には、ステップＳ１６３に処理を移す。
【０１７１】
ステップＳ１６３において、大入賞口開放回数関連データセットを行う。この処理において、メインＣＰＵ６６は、大入賞口開放回数関連データをメインＲＡＭ７０にセットする処理を行う。この処理が終了した場合には、本サブルーチンを終了する。
【０１７２】
ステップＳ１６４において、ハズレ図柄のデータセット及びハズレ図柄のコマンドセットを行う。この処理において、メインＣＰＵ６６は、ハズレ図柄のデータを、メインＲＡＭ７０の所定領域にセットし、変動している特別図柄が第１特別図柄か第２特別図柄かに応じて、第１特別図柄表示装置３５ａ又は第２特別図柄表示装置３５ｂに供給する。第２特別図柄表示装置３５ｂは第２特別図柄を変動表示させて、第２特別図柄のハズレ図柄のデータに基づく態様で停止表示させる。また、メインＣＰＵ６６は、ハズレ図柄のコマンドを、メインＲＡＭ７０の所定領域にセットし、主制御回路６０のメインＣＰＵ６６から副制御回路２００のサブＣＰＵ２０６に特別図柄指定コマンドとして供給する。これによって、副制御回路２００の制御によって、識別図柄がハズレ停止表示態様で液晶表示装置３２に導出表示されることとなる。この処理が終了した場合には、本サブルーチンを終了する。
【０１７３】
［転落抽選処理］
図１０のステップＳ１２３において実行されるサブルーチン（転落抽選処理）について図１２を用いて説明する。
【０１７４】
最初に、ステップＳ１８０において、メインＣＰＵ６６は、確変中であるか否かを判定する処理を行う。この処理において、メインＣＰＵ６６は、現在の遊技状態が確率変動状態であるか否かを判定する処理を行う。この結果、確変中であると判定した場合には、ステップＳ１８１に処理を移す。また、確変中でないと判定した場合には、本サブルーチンを終了する。
【０１７５】
ステップＳ１８１において、メインＣＰＵ６６は、後述のステップＳ１０３０やステップＳ１１００で抽出した乱数値を抽出し、抽出された乱数値と転落抽選テーブルに基づいて転落抽選を行う。この処理において、メインＣＰＵ６６は、乱数値を抽出し、抽出された乱数値とメインＲＯＭ６８に記憶された転落抽選テーブルとに基づいて、確変遊技状態を終了されるか否かを決定するための転落抽選を行う。この処理が終了した場合には、ステップＳ１８２に処理を移す。
【０１７６】
ステップＳ１８２において、メインＣＰＵ６６は、転落抽選に当選したか否かを判定する処理を行う。この結果、転落抽選に当選したと判定した場合には、ステップＳ１８３に処理を移す。また、転落抽選に当選していないと判定した場合には、本サブルーチンを終了する。
【０１７７】
ステップＳ１８３において、メインＣＰＵ６６は、遊技状態を確変遊技状態から通常遊技状態に移行させる処理を行う。この処理が終了した場合には、本サブルーチンを終了する。
【０１７８】
［特別図柄変動時間管理処理］
図９のステップＳ１０２において実行されるサブルーチン（特別図柄変動時間管理処理）について図１３を用いて説明する。
【０１７９】
最初に、ステップＳ２００において、メインＣＰＵ６６は、制御状態フラグが特別図柄変動時間管理を示す値（０１Ｈ）であるか否かの判定を行い、特別図柄変動時間管理を示す値（０１Ｈ）であると判定した場合には、ステップＳ２０１に処理を移し、特別図柄変動時間管理を示す値（０１Ｈ）であると判定しない場合には、本サブルーチンを終了する。
【０１８０】
ステップＳ２０１において、メインＣＰＵ６６は、待ち時間タイマが“０”であるか否かの判定を行い、待ち時間タイマが“０”であると判定した場合には、ステップＳ２０２に処理を移す。待ち時間タイマが“０”であるとは判定しない場合には、本サブルーチンを終了する。
【０１８１】
ステップＳ２０２においては、制御状態フラグとして特別図柄表示時間管理を示す値（０２Ｈ）をセットする処理を実行する。この処理において、メインＣＰＵ６６は、特別図柄表示時間管理を示す値（０２Ｈ）を制御状態フラグにセット（記憶）する処理を行う。この処理が終了した場合には、ステップＳ２０３に処理を移す。
【０１８２】
ステップＳ２０３においては、図柄停止コマンドのセットを行う。この処理において、メインＣＰＵ６６は、メインＲＡＭ７０の所定領域に、図柄停止コマンドデータをセット（記憶）する処理を行う。そして、図柄停止コマンドデータは、主制御回路６０のメインＣＰＵ６６から副制御回路２００のサブＣＰＵ２０６に図柄停止コマンドとして供給されることにより、副制御回路２００が図柄停止を認識するようになる。この処理が終了した場合には、ステップＳ２０４に処理を移す。
【０１８３】
ステップＳ２０４において、確定後、待ち時間としての待ち時間タイマをセットする処理を実行する。この処理において、メインＣＰＵ６６は、メインＲＡＭ７０における待ち時間タイマとして機能する領域に、確定後待ち時間を記憶する処理を行う。この処理が終了した場合には、本サブルーチンを終了する。
【０１８４】
［特別図柄表示時間管理処理］
図９のステップＳ１０３において実行されるサブルーチン（特別図柄表示時間管理処理）について図１４を用いて説明する。
【０１８５】
最初に、ステップＳ３００において、メインＣＰＵ６６は、制御状態フラグが特別図柄表示時間管理処理を示す値（０２Ｈ）であるか否かを判定する処理を行う。制御状態フラグが特別図柄表示時間管理処理を示す値（０２Ｈ）であると判定した場合には、ステップＳ３０１に処理を移行する。制御状態フラグが特別図柄表示時間管理処理を示す値（０２Ｈ）であると判定しない場合には、本サブルーチンを終了する。
【０１８６】
ステップＳ３０１において、メインＣＰＵ６６は、制御状態フラグが特別図柄表示時間管理処理を示す値（０２Ｈ）である場合に、特別図柄表示管理処理に対応する待ち時間タイマ（ｔ）の値が“０”であるか否か判定する。メインＣＰＵ６６は、待ち時間タイマの値が“０”である場合には、ステップＳ３０２に処理を移す。待ち時間タイマの値が“０“でない場合には、ステップＳ３０４の処理を移す。
【０１８７】
ステップＳ３０２において、メインＣＰＵ６６は、大当りであるか否かを判定する処理を行う。大当りである場合には、ステップＳ３０３に処理を移す。大当りでない場合には、本サブルーチンを終了する。
【０１８８】
ステップＳ３０３において、メインＣＰＵ６６は、メインＲＡＭ７０の遊技状態フラグをクリアにする処理を行う。この処理が終了した場合には、本サブルーチンを終了する。
【０１８９】
ステップＳ３０４において、メインＣＰＵ６６は、大当りであるか否かを判定する処理を行う。大当りである場合には、ステップＳ３１１に処理を移す。大当りでない場合には、ステップＳ３０５に処理を移す。
【０１９０】
ステップＳ３０５において、メインＣＰＵ６６は、メインＲＡＭ７０の時短回数カウンタの値が“０”であるか否か判定する。時短回数カウンタの値が“０”である場合には、ステップＳ３１０に処理を移す。時短回数カウンタの値が“０”でない場合には、ステップＳ３０６に処理を移す。
【０１９１】
ステップＳ３０６において、メインＣＰＵ６６は、メインＲＡＭ７０の時短回数カウンタの値を１減算する処理を行う。この処理が終了した場合には、ステップＳ３０７に処理を移す。
【０１９２】
ステップＳ３０７において、メインＣＰＵ６６は、メインＲＡＭ７０の時短回数カウンタの値が“０”であるか否か判定する。時短回数カウンタの値が“０”である場合には、ステップＳ３０８に処理を移す。時短回数カウンタの値が“０”でない場合には、ステップＳ３１０に処理を移す。
【０１９３】
ステップＳ３０８において、メインＣＰＵ６６は、メインＲＡＭ７０の時短回数フラグをクリアにする処理を行う。この処理が終了した場合には、ステップＳ３０９に処理を移す。
【０１９４】
ステップＳ３０９において、メインＣＰＵ６６は、時短終了コマンドデータをメインＲＡＭ７０にセットする処理を行う。この時短終了コマンドデータは、主制御回路６０のメインＣＰＵ６６から副制御回路２００のサブＣＰＵ２０６に時短終了コマンドとして供給されることにより、副制御回路２００が時短終了を認識するようになる。この処理が終了した場合には、ステップＳ３１０に処理を移す。
【０１９５】
ステップＳ３１０において、メインＣＰＵ６６は、小当りであるか否かを判走する処理を行う。小当りである場合には、ステップＳ３１１に処理を移す。小当りでない場合には、ステップＳ３１６に処理を移す。
【０１９６】
ステップＳ３１１において、メインＣＰＵ６６は、当り開始インターバル管理処理を示す値（０３Ｈ）をメインＲＡＭ７０の制御状態フラグにセットする処理を行う。この処理が終了した場合には、ステップＳ３１２に処理を移す。
【０１９７】
ステップＳ３１２において、メインＣＰＵ６６は、特別図柄（第１特別図柄又は第２特別図柄）に対応する当り開始インターバル時間としての待ち時間タイマの値をメインＲＡＭ７０にセットする処理を行う。この処理が終了した場合には、ステップＳ３１３に処理を移す。
【０１９８】
ステップＳ３１３において、メインＣＰＵ６６は、大入賞口開放回数カウンタの値として、「ＦＦＨ」をメインＲＡＭ７０にセットする処理を行う。この処理が終了した場合には、ステップＳ３１４に処理を移す。ここで、大入賞口開放回数カウンタの値として「ＦＦＨ」をセットすると言うことは、「−１」をセットしたことに相当する。
【０１９９】
ステップＳ３１４において、メインＣＰＵ６６は、特別図柄演出停止コマンドをメインＲＡＭ７０にセットする処理を行う。この特別図柄演出停止コマンドは、主制御回路６０のメインＣＰＵ６６から副制御回路２００のサブＣＰＵ２０６に供給されることにより、副制御回路２００が特別図柄演出停止を認識するようになる。この処理が終了した場合には、ステップＳ３１５に処理を移す。
【０２００】
ステップＳ３１５において、メインＣＰＵ６６は、特別図柄（第１特別図柄又は第２特別図柄）に対応する大当り開始コマンド又は小当り開始コマンドをメインＲＡＭ７０にセットする処理を行う。この処理において、大当り開始コマンド又は小当り開始コマンドは、主制御回路６０のメインＣＰＵ６６から副制御回路２００のサブＣＰＵ２０６に供給されることにより、副制御回路２００が大当り又は小当り開始を認識するようになる。この処理が終了した場合には、本サブルーチンを終了する。
【０２０１】
ステップＳ３１６において、メインＣＰＵ６６は、メインＲＡＭ７０における制御状態フラグとなる所定領域に、特別図柄ゲーム終了処理を示す値（０７Ｈ）をセットする処理を行う。この処理が終了した場合には、ステップＳ３１７に処理を移す。
【０２０２】
ステップＳ３１７において、メインＣＰＵ６６は、特別図柄演出停止コマンドをメインＲＡＭ７０にセットする処理を行う。この特別図柄演出停止コマンドは、主制御回路６０のメインＣＰＵ６６から副制御回路２００のサブＣＰＵ２０６に供給されることにより、副制御回路２００が特別図柄演出停止を認識するようになる。この処理が終了した場合には、本サブルーチンを終了する。
【０２０３】
［当り開始インターバル管理処理］
図９のステップＳ１０４において実行されるサブルーチン（当り開始インターバル管理処理）について図１５を用いて説明する。
【０２０４】
当り開始インターバル管理処理は、図１５に示すように、ステップＳ４０１において、メインＣＰＵ６６は、制御状態フラグが当り開始インターバル管理処理を示す値（０３Ｈ）であるか否かを判定する処理を行う。制御状態フラグが当り開始インターバル管理処理を示す値（０３Ｈ）であると判定した場合には、ステップＳ４０２に処理を移行する。制御状態フラグが当り開始インターバル管理処理を示す値（０３Ｈ）であると判定しない場合には、本サブルーチンを終了する。
【０２０５】
ステップＳ４０２において、メインＣＰＵ６６は、制御状態フラグが当り開始インターバル管理処理を示す値（０３Ｈ）である場合に、特別図柄表示管理処理に対応する待ち時間タイマ（ｔ）の値が“０”であるか否か判定する。また、メインＣＰＵ６６は、待ち時間タイマの値が“０”である場合には、ステップＳ４０３の処理に移り、待ち時間タイマの値が“０”でない場合には、本サブルーチンを終了する。
【０２０６】
ステップＳ４０３において、メインＣＰＵ６６は、メインＲＡＭ７０の大入賞口開放回数カウンタ上限値をセットする処理を行う。具体的には、本実施形態によれば、全ての当りが１５ラウンドなので「１５」をセットする。なお、開放回数カウンタのカウント値はラウンド数と同義である。この処理が終了した場合には、ステップＳ４０４に処理を移す。このように、メインＣＰＵ６６は、抽選手段（メインＣＰＵ６６）による抽選の結果が、第１の当り及び第２の当りの場合に、大当りラウンド数の初期値として所定値を設定する初期値設定処理を実行していることの一例である。なお、本実施形態によれば、図柄停止表示後（ステップＳ２０３）に初期値が設定される処理順になっているが、抽選手段による抽選の結果が第１の当り及び第２の当りの場合に（例えば、図１０のステップＳ１２０の次に）、大当りラウンド数の初期値として大入賞口開放回数カウンタ上限値を設定してもよい。
【０２０７】
ステップＳ４０４において、メインＣＰＵ６６は、メインＲＡＭ７０の大入賞口開放回数カウンタの値に１加算する処理を行う。この処理が終了した場合には、ステップＳ４０５に処理を移す。
【０２０８】
すなわち、図１４のステップＳ３１３の処理によって、大入賞口開放回数カウンタの値に大当りの最初として「ＦＦＨ（すなわち−１）」が設定されているため、ステップＳ４０４の処理によって大入賞口開放回数カウンタの値は「０」になる。
【０２０９】
ここで、大当りの最初のラウンド（１ラウンド目）には、大入賞口開放回数カウンタの値として「０」を対応させることによって、ラウンド数の管理を行っている。
【０２１０】
仮に、最初から大入賞口開放回数カウンタの値に「０」がセットされている場合には、１ラウンド目の開放処理を行い、その後に、ラウンド数が最終ラウンド（Ｎ−１）か否かを判定する。そして、最終ラウンド数がＮ−１で無い場合に、ラウンド間インターバル処理を行い、大入賞口開放回数カウンタに＋１して、２ラウンド目以降の開放処理を行う。このような処理を、最終ラウンド数がＮ−１になるまで繰り返される。すなわち、１ラウンド目の開放処理だけ別に行う必要がある。
【０２１１】
これに対し、大入賞口開放回数カウンタの値に「ＦＦＨ（すなわち−１）」が設定されている場合には、当り開始インターバル管理処理までの間まで大入賞口開放回数カウンタの値に「ＦＦＨ（すなわち−１）」が設定されており、実際のラウンド数の管理には初期値（ＦＦＨ）が関与しないようになる。その結果、大当り、小当りに関わらず１ラウンドからＮラウンドまでの開放処理を１つの処理に集約させることが可能となり、メインＲＯＭ６８の使用領域を削減することが可能になる。このように、特別図柄制御処理における大入賞口開放関連の処理は、大入賞口３９の開閉動作を、第１の当り開放テ一ブル及び第２の当り開放テーブルに基づいて、プログラムにおける同一のルーチン（ステップＳ１０４におけるステップＳ４０４移行〜ステップＳ１０６の処理）で処理していることの一例である。
【０２１２】
ステップＳ４０５において、メインＣＰＵ６６は、大当り図柄の穣類に応じたラウンド毎又は小当りの開閉パターンをセットする処理を行う。
【０２１３】
ステップＳ４０６において、メインＣＰＵ６６は、メインＲＡＭ７０の所定領域に、大入賞口開放中表示コマンドデータをセット（記憶）する処理を行う。この場合の大入賞口開放中表示コマンドデータは１ラウンド目を示すデータとなる。大入賞口開放中表示コマンドデータは、主制御回路６０のメインＣＰＵ６６から副制御回路２００のサブＣＰＵ２０６に大入賞口開放中表示コマンドとして供給される。この処理が終了した場合には、ステップＳ４０７に処理を移す。
【０２１４】
ステップＳ４０７において、メインＣＰＵ６６は、メインＲＡＭ７０おける制御状態フラグとして機能する所定領域に、大入賞口再開放前待ち時間管理処理を示す値（０５Ｈ）を制御状態フラグにセットする処理を行う。この処理が終了した場合には、ステップＳ４０８に処理を移す。
【０２１５】
ステップＳ４０８において、メインＣＰＵ６６は、メインＲＡＭ７０の大入賞口入賞カウンタをクリアにする処理を行う。この処理が終了した場合には、ステップＳ４０９に処理を移す。
【０２１６】
ステップＳ４０９において、メインＣＰＵ６６は、大入賞口開放時間としての待ち時間タイマの値をメインＲＡＭ７０にセットする処理を行う。この処理が終了した場合には、ステップＳ４１０に処理を移す。このように、メインＣＰＵ６６は、初期値設定処理（ステップＳ４０３）の後に所定時間の間隔をおくインターバル処理を実行することの一例である。
【０２１７】
ステップＳ４１０において、メインＲＡＭ７０の所定領域に大入賞口開放中データをセットする処理を行う。この処理において、メインＣＰＵ６６は、大入賞口を開放させるために、メインＲＯＭ６８から読み出されたデータに基づいて、メインＲＡＭ７０に位置付けられた変数を更新する。このように記憶された変数は、図８のステップＳ５２の処理により、大入賞ロソレノイド１２０を駆動して大入賞口３９を開放状態とすることとなる。この処理を終了した場合には、本サブルーチンを終了する。
【０２１８】
［大入賞口再開放前待ち時間管理処理］
図９のステップＳ１０５において実行されるサブルーチンについて図１６を用いて説明する。
【０２１９】
大入賞口再開放前待ち時間管理処理は、図１６に示すように、ステップＳ５００において、メインＣＰＵ６６は、制御状態フラグが大入賞口再開放前待ち時間管理処理を示す値（０５Ｈ）であるか否かを判定する処理を行う。制御状態フラグが大入賞口再開放前待ち時間管理処理を示す値（０５Ｈ）であると判定した場合には、ステップＳ５０１に処理を移行する。制御状態フラグが大入賞口再開放前待ち時間管理処理を示す値（０５Ｈ）であると判定しない場合には、本サブルーチンを終了する。
【０２２０】
ステップＳ５０１において、メインＣＰＵ６６は、制御状態フラグが大入賞口再開放前待ち時間管理処理を示す値（０５Ｈ）である場合に、特別図柄表示管理処理に対応する待ち時間タイマ（ｔ）の値が“０”であるか否か判定する。また、メインＣＰＵ６６は、待ち時間タイマの値が“０”である場合には、ステップＳ５０２の処理に移り、待ち時間タイマの値が“０”でない場合には、本サブルーチンを終了する。
【０２２１】
ステップＳ５０２において、メインＣＰＵ６６は、メインＲＡＭ７０の大入賞口開放回数カウンタの値に１加算する処理を行う。この処理が終了した場合には、ステップＳ５０３に処理を移行する。このように、メインＣＰＵ６６は、インターバル処理（ステップＳ１０４（図９参照）の後に、大当りラウンド数を演算する大当りラウンド数演算処理を実行していることの一例である。
【０２２２】
ステップＳ５０３において、メインＣＰＵ６６は、メインＲＡＭ７０の所定領城に、大入賞口開放中表示コマンドデータをセット（記憶）する処理を行う。この場合の大入賞口開放中表示コマンドデータは２ラウンド目以降を示すデータとなる。大入賞口開放中表示コマンドデータは、主制御回路６０のメインＣＰＵ６６から副制御回路２００のサブＣＰＵ２０６に大入賞口開放中表示コマンドとして供給される。この大入賞口開放中表示コマンドには、サブＣＰＵ２０６に対してラウンドカウンタ＋１を行う旨の指示が含まれている。この処理が終了した場合には、ステップＳ５０４に処理を移行する。
【０２２３】
ステップＳ５０４において、メインＣＰＵ６６は、メインＲＡＭ７０おける制御状態フラグとして機能する所定領域に、大入賞口開放処理を示す値（０４Ｈ）を制御状態フラグにセットする処理を行う。この処理が終了した場合には、ステップＳ５０５に処理を移行する。このように、メインＣＰＵ６６は、大当りラウンド数演算処理の後に、大当りラウンド数演算処理による演算の結果のラウンド数に応じた大入賞口３９の開放を制御するラウンド開放処理を実行していることの一例である。
【０２２４】
ステップＳ５０５において、メインＣＰＵ６６は、大当り判定（ステップＳ１１８）の結果、大当りか否かを判定する処理を行う。大当りであると判定した場合には、ステップＳ５０６に処理を移す。大当りであると判定しない場合には、ステップＳ５０７に処理を移す。
【０２２５】
ステップＳ５０６において、メインＣＰＵ６６は、メインＲＡＭ７０の大入賞口入賞カウンタをクリアにする処理を行う。この処理が終了した揚合には、ステップＳ５０７に処理を移す。
【０２２６】
ステップＳ５０７において、メインＣＰＵ６６は、大入賞口開放時間としての待ち時間タイマの値をメインＲＡＭ７０にセットする処理を行う。この処理が終了した場合には、ステップＳ５０８に処理を移す。
【０２２７】
ステップＳ５０８において、メインＣＰＵ６６は、メインＲＡＭ７０の所定領域に大入賞口開放中データをセットする処理を行う。この処理を終了した場合には、本サブルーチンを終了する。
【０２２８】
［大入賞口開放処理］
図９のステップＳ１０６において実行されるサブルーチン（大入賞口開放処理）について図１７を用いて説明する。
【０２２９】
大入賞口開放処理は、図１７に示すように、ステップＳ６００において、メインＣＰＵ６６は、制御状態フラグが大入賞口開放処理を示す値（０４Ｈ）であるか否かを判定する処理を行う。制御状態フラグが大入賞口開放処理を示す値（０４Ｈ）であると判定した場合には、ステップＳ６０１に処理を移行する。制御状態フラグが大入賞口開放処理を示す値（０４Ｈ）であると判定しない場合には、本サブルーチンを終了する。
【０２３０】
ステップＳ６０１においては、大入賞口入賞カウンタが“７”以上であるか否かの判定を行う。この処理において、メインＣＰＵ６６は、大入賞口入賞カウンタが“７”以上であると判定した場合には、ステップＳ６０３に処理を移し、大入賞口入賞カウンタが“７”以上とは判定しなかった場合には、ステップＳ６０２に処理を移す。
【０２３１】
ステップＳ６０２においては、大入賞口開放時間タイマとしての待ち時間タイマが“０”であるか否かの判定を行う。メインＣＰＵ６６は、メインＲＡＭ７０における大入賞口開放時間タイマとして機能する所定領域の待ち時間タイマが“０”であると判定した場合には、ステップＳ６０３に処理を移し、待ち時間タイマが“０”であるとは判定しなかった場合には、本サブルーチンを終了する。つまり、大入賞口入賞カウンタが“７”以上であると判定した場含、又は、大入賞口開放時間タイマが“０”であると判定した場合に、ステップＳ６０３に処理を移し、大入賞口入賞カウンタが“７”以上であるとは判定しなかった場合、かつ、大入賞口開放時間タイマが“０”であるとは判定しなかった場合に、本サブルーチンを終了する。
【０２３２】
ステップＳ６０３においては、大入賞口閉鎖データをセットする処理を行う。この処理において、メインＣＰＵ６６は、大入賞口を閉鎖させるために、メインＲＯＭ６８から読み出されたデータに基づいて、メインＲＡＭ７０に位置付けられた変数を更新する。このように記憶された変数は、図８のステップＳ５２の処理により、大入賞口ソレノイド１２０を閉鎖状態とすることとなる。この処理が終了した場合には、ステップＳ６０４に処理を移す。
【０２３３】
ステップＳ６０４において、メインＣＰＵ６６は、小当り判定（ステップＳ１１９）の結果、小当りか否かを判定する処理を行う。小当りであると判定した場合には、ステップＳ６１０に処理を移す。小当りであると判定しない場合には、ステップＳ６０５に処理を移す。
【０２３４】
ステップＳ６０５においては、大入賞口開放回数カウント値が大入賞口開放回数上限値以上であるか否かの判定を行う。この処理において、メインＣＰＵ６６は、メインＲＡＭ７０に記憶されている大入賞口開放回数カウント値と大入賞口開放回数上限値とを比較して、大入賞口開放回数カウント値が大入賞口開放回数上限値以上であるか否かを判定する。入賞口開放回数上限値以上であると判定した場合には、ステップＳ６０９に処理を移し、入賞口開放回数上限値以上であると判定しなかった場合には、ステップＳ６０６に処理を移す。このように、メインＣＰＵ６６は、ラウンド開放処理の後に、ラウンド数が最終ラウンド数か否かを判定する終了判定処理を実行していることの一例である。
【０２３５】
ステップＳ６０６において、メインＣＰＵ６６は、開放時間インターバル表示時間としての待ち時間タイマの値をメインＲＡＭ７０にセットする処理を行う。この処理が終了した場合には、ステップＳ６０７に処理を移す。
【０２３６】
ステップＳ６０７において、メインＣＰＵ６６は、メインＲＡＭ７０における制御状態フラグとして機能する所定領城に、大入賞口再開放前待ち時間管理処理を示す値（０５Ｈ）を制御状態フラグにセットする処理を行う。この処理が終了した場合には、ステップＳ６０８に処理を移行する。このように、メインＣＰＵ６６は、ラウンド開放処理の後に、ラウンド数が最終ラウンド数か否かを判定する終了判定処理を実行していることの一例である。
【０２３７】
ステップＳ６０８において、メインＣＰＵ６６は、メインＲＡＭ７０の所定領域に、ラウンド間表示コマンドデータをセットする処理を行う。ラウンド間表示コマンドデータは、主制御回路６０のメインＣＰＵ６６から副制御回路２００のサブＣＰＵ２０６にラウンド間表示コマンドとして供給される。この処理が終了した場合には、本サブルーチンを終了する。
【０２３８】
ステップＳ６０９において、メインＣＰＵ６６は、当り終了インターバル表示時間としての待ち時間タイマの値をメインＲＡＭ７０にセットする処理を行う。この処理が終了した場合には、ステップＳ６１０に処理を移す。
【０２３９】
ステップＳ６１０において、メインＣＰＵ６６は、メインＲＡＭ７０における制御状態フラグとして機能する所定領域に、当り終了インターバル処理を示す値（０６Ｈ）を制御状態フラグにセットする処理を行う。この処理が終了した場合には、ステップＳ６１１に処理を移す。
【０２４０】
ステップＳ６１１において、メインＣＰＵ６６は、メインＲＡＭ７０の所定領域に、特別図柄当り終了表示コマンドデータをセットする処理を行う。具体的には、大当りの場合には大当り終了表示コマンドデータ、小当りの場合には小当り終了表示コマンドデータがセットされる。大当り終了表示コマンドデータ、小当り終了表示コマンドデータは、主制御回路６０のメインＣＰＵ６６から副制御回路２００のサブＣＰＵ２０６に大当り終了表示コマンド、小当り終了表示コマンドとして供給される。この処理が終了した場合には、本サブルーチンを終了する。
【０２４１】
［当り終了インターバル処理］
図９のステップＳ１０７において実行されるサブルーチン（当り終了インターバル処理）について図１８を用いて説明する。
【０２４２】
最初に、ステップＳ７００において、メインＣＰＵ６６は、メインＲＡＭ７０の制御状態フラグが当り終了インターバル処理を示す値（０６Ｈ）であるか否かを判定する処理を行う。制御状態フラグが当り終了インターバル処理を示す値（０６Ｈ）であると判定した場合には、ステップＳ７０１に処理を移行する。制御状態フラグが当り終了インターバル処理を示す値（０６Ｈ）であると判定しない場合には、本サブルーチンを終了する。
【０２４３】
ステップＳ７０１において、メインＣＰＵ６６は、メインＲＡＭ７０の制御状態フラグが当り終了インターバル処理を示す値（０６Ｈ）である場合に、当り終了インターバルに対応する待ち時間タイマ（ｔ）の値が“０”であるか否か判定する。また、メインＣＰＵ６６は、待ち時間タイマの値が“０”である場合には、ステップＳ７０２に処理を移し、待ち時間タイマの値が“０”でない場合には、本サブルーチンを終了する。
【０２４４】
ステップＳ７０２において、メインＣＰＵ６６は、メインＲＡＭ７０の特別図柄ゲーム終了を示す値（０７Ｈ）を制御状態フラグにセットする。この処理が終了した場合には、ステップＳ７０３に処理を移す。
【０２４５】
ステップＳ７０３において、メインＣＰＵ６６は、メインＲＡＭ７０の所定領域に、大当り図柄又は小当り図柄に応じた制御データをセットする処理を行う。この処理が終了した場合には、本サブルーチンを終了する。ここで、本実施形態では、大当り後は、常に確変遊技状態となるので、制御データとして確変がセットされる。
【０２４６】
［特別図柄ゲーム終了処理］
図９のステップＳ１０８において実行されるサブルーチン（特別図柄ゲーム終了処理）について図１９を用いて説明する。
【０２４７】
最初に、ステップＳ７１０において、メインＣＰＵ６６は、メインＲＡＭ７０の制御状態フラグが特別図柄ゲーム終了処理を示す値（０７Ｈ）であるか否かを判定する処理を行う。制御状態フラグが特別図柄ゲーム終了処理を示す値（０７Ｈ）であると判定した場合には、ステップＳ７１１に処理を移す。制御状態フラグが特別図柄ゲーム終了処理を示す値（０７Ｈ）であると判定しない場合には、本サブルーチンを終了する。
【０２４８】
ステップＳ７１１において、メインＣＰＵ６６は、制御状態フラグとして特別図柄記憶チェックを示す値（００Ｈ）をメインＲＡＭ７０にセットする処理を行う。この処理が終了した場合には、本サブルーチンを終了する。
【０２４９】
［システムタイマ割込処理］
メインＣＰＵ６６は、メイン処理を実行している状態であっても、メイン処理を中断させ、システムタイマ割込処理を実行する場合がある。図２０を用いて、システムタイマ割込処理について以下に説明する。
【０２５０】
ステップＳ８００においては、レジスタ退避処理を行う。この処理において、メインＣＰＵ６６は、レジスタを退避させる処理を行う。この処理が終了した場合、ステップＳ８１０に処理を移す。
【０２５１】
ステップＳ８１０においては、システムタイマ監視タイマの値を＋１する処理を行う。この処理において、メインＣＰＵ６６は、メインＲＡＭ７０に記憶されるシステムタイマ監視タイマの値を＋１する処理を行う。なお、システムタイマ監視タイマは、所定の処理（特別図柄制御処理等）をタイマ割込処理の所定回数（３回）の起動を条件として実行させるための監視タイマである。この処理が終了した場合、ステップＳ８２０に処理を移す。
【０２５２】
ステップＳ８２０においては、ウォッチドッグ出カデータにクリアデータをセットする処理を行う。この処理において、メインＣＰＵ６６は、ウォッチドッグ出カデータにクリアデータをセットする。さらに、メインＣＰＵ６６は、ウォッチドッグ出力データに基づく制御信号を初期リセット回路６４に送信する。初期リセット回路６４は、受信した制御信号に基づいてコンデンサの電圧を解放する。なお、初期リセット回路６４に設けられるウォッチドッグタイマがクリアされてから初期リセット回路６４に接続されたコンデンサの容量で決定される所定時間（例えば、３１００ｍｓｅｃ）が経過すると、初期リセット回路６４からメインＣＰＵ６６ヘシステムリセット信号が出力される。メインＣＰＵ６６はこの初期リセット回路６４からシステムリセット信号が入力されるとシステムリセット状態となる。この処理が終了した場合、ステップＳ８３０に処理を移す。
【０２５３】
ステップＳ８３０においては、乱数更新処理を行う。この処理において、メインＣＰＵ６６は、乱数を更新する処理を行う。例えば、メインＣＰＵ６６は、大当り判定用乱数カウンタ、大当り図柄決定用乱数カウンタ、普通図柄判定用乱数カウンタ、演出条件判定用乱数カウンタなどの乱数を更新する。なお、大当り判定用乱数カウンタ、大当り図柄決定用乱数カウンタは、カウンタ値の更新タイミングが不定であると、公正さに欠けるものとなってしまうため、これを担保するために２ｍｓｅｃ毎の決まったタイミングで更新を行うようにしている。この処理が終了した場合、ステップＳ８４０に処理を移す。
【０２５４】
ステップＳ８４０においては、スイッチ入力処理を行う。この処理において、メインＣＰＵ６６は、スイッチに入力があったか否か判定する処理を行う。例えば、メインＣＰＵ６６は、大入賞口３９（図４参照）に設けられたカウントスイッチ１０４（図６参照）や、一般入賞口５６ａ、５６ｂ、５６ｃ、５６ｄ（図４参照）に設けられた一般入賞口スイッチ１０６、１０８、１１０、１１２（図６参照）や、通過ゲート５４（図４参照）に設けられた通過ゲートスイッチ１１４（図６参照）や、第１始動口２５、第２始動口４４（図４参照）に設けられた第１始動入賞口スイッチ１１６、第２始動入賞口スイッチ１１７（図６参照）からの検知信号を受信することによって、各スイッチが遊技球を検知したか判定する。メインＣＰＵ６６は、検知したと判定した場合、検知に応じて、大入賞口賞球カウンタや、一般入賞口賞球カウンタや、始動口賞球カウンタなどを更新する。スイッチ入力処理の詳細については後述する。この処理が終了した場合、ステップＳ８５０に処理を移す。
【０２５５】
ステップＳ８５０においては、レジスタ復帰処理を行う。この処理において、メインＣＰＵ６６は、割込処理前のアドレスにレジスタを復帰させる処理を行う。この処理が終了した場合には、本サブルーチンを終了する。
【０２５６】
［スイッチ入力処理］
図２０に示すステップＳ８４０のスイッチ入力処理について、図２１を用いて説明する。
【０２５７】
ステップＳ９００において、賞球関連スイッチチェック処理を行う。この処理において、メインＣＰＵ６６は、カウントスイッチ１０４、一般入賞ロスイッチ１０６、１０８、１１０、１１２及び第１始動入賞ロスイッチ１１６、第２始動入賞ロスイッチ１１７の入力があったか否か、言い換えれば遊技球を検知したか否かを判定する。そして、メインＣＰＵ６６は、カウントスイッチ１０４の入力があったと判定した場合には、大入賞口賞球カウンタの値に１加算する処理を行い、一般入賞口スイッチ１０６、１０８、１１０、１１２の入力があったと判定した場合には、一般入賞口賞球カウンタの値に１加算する処理を行い、第１始動入賞ロスイッチ１１６、第２始動入賞ロスイッチ１１７の入力があったと判定した場合には、始動口賞球カウンタの値に１加算する処理を行う。この処理が終了した場合には、ステップＳ９１０に処理を移す。
【０２５８】
ステップＳ９１０において、特別図柄関連スイッチチェック処理を行う。特別図柄関連スイッチチェック処理については後述する。この処理が終了した場合には、ステップＳ９２０に処理を移す。
【０２５９】
ステップＳ９２０において、普通図柄関連スイッチチェック処理を行う。この処理において、メインＣＰＵ６６は、通過ゲートスイッチ１１４の入力があったか否か、言い換えれば遊技球を検知したか否かを判定し、入力があったと判定した場合には、保留個数が上限（例えば、４個）であるか否かを判定し、上限であると判定した場合には本サブルーチンを終了する。上限であると判定しない場合には、普通図柄ゲームの当り判定用乱数カウンタから当り判定用乱数値を抽出し、さらに当り図柄決走用乱数カウンタから当り図柄決定用乱数値を抽出し、メインＲＡＭ７０の普通図柄記憶領域に格納する処理を行う。この処理が終了した場合には、ステップＳ９３０に処理を移す。
【０２６０】
ステップＳ９３０において、異常関連スイッチチェック処理を行う。この処理において、メインＣＰＵ６６は、異常関連スイッチに異常があったか否か、例えばガラスドア１１の開閉スイッチが開放してガラスドア１１が開放されていることが検知されたか否かを判定する。異常が検知された場合には、異常を報知するための処理を行い、異常が検知されない場合には、そのまま本サブルーチンを終了する。
【０２６１】
［特別図柄関速スイッチチェック処理］
図２１に示すステップＳ９１０の特別図柄関連スイッチチェック処理について、図２２を用いて説明する。
【０２６２】
ステップＳ１０００において、第１始動口２５への始動入賞が検出されたか否かを判断する処理を行う。この処理において、メインＣＰＵ６６は、第１始動入賞口スイッチ１１６の入力があった否かを判定する。第１始動入賞ロスイッチ１１６の入力があったと判定した場合には、ステップＳ１０１０に処理を移し、第１始動入賞ロスイッチ１１６の入力があったと判定しない場合には、ステップＳ１０７０に処理を移す。
【０２６３】
ステップＳ１０１０において、第１特別図柄の始動記憶が４以上であるか否かを判定する処理を行う。この処理において、メインＣＰＵ６６は、第１特別図柄の始動記憶、すなわち保留個数が４以上であるか否かを判定する。保留個数が４以上であると判定した場合には、本サブルーチンを終了し、保留個数が４以上でないと判定した場合には、ステップＳ１０２０に処理を移す。
【０２６４】
ステップＳ１０２０において、第１特別図柄の始動記憶に１加算する処理を行う。この処理において、メインＣＰＵ６６は、メインＲＡＭ７０に記憶されている第１特別図柄の保留個数の値に１加算する処理を行う。この処理が終了した場合、ステップＳ１０３０に処理を移す。
【０２６５】
ステップＳ１０３０において、各種乱数値取得処理を行う。この処理において、メインＣＰＵ６６は、大当り判定用乱数カウンタから特別図柄ゲームの大当り判定用乱数値を抽出（所謂、特別図柄抽選）し、さらに、大当り図柄決定用乱数カウンタから大当り図柄決定用乱数値を抽出し、演出条件判定用乱数カウンタから演出条件判定用乱数値を抽出して、メインＲＡＭ７０の第１特別図柄始動記憶領域に格納する処理を行う。本実施形態においては、第１特別図柄始動記憶領域は、第１特別図柄始動記憶領域（０）〜第１特別図柄始動記燎領域（４）まであって、第１特別図柄始動記憶領域（０）に記憶された当り判定用乱数に基づく判定結果が、特別図柄によって導出表示され、特別図柄の変動中に始動入賞したことによって取得した各種の乱数値は、第１特別図柄始動記憶領域（１）〜第１特別図柄始動記憶領域（４）に順に記憶される。この処理が終了した場合、ステップＳ１０４０に処理を移す。このように、メインＣＰＵ６６は、遊技球通過検出手段（第１始動口２５）により遊技球の通過が検出された場合に、遊技者にとって有利な遊技状態への移行契機となる第１の当り又は第１の当りに比較して、遊技者にとって有利となる度合いが低い第２の当りであるか否かの抽選を行う抽選手段の一例である。
【０２６６】
ステップＳ１０４０において、第１特別図柄変動状態データをセットする処理を行う。この処理において、メインＣＰＵ６６は、メインＲＡＭ７０の所定領域に第１特別図柄変動状態データをセットする処理を行う。この処理が終了した場合、ステップＳ１０５０に処理を移す。
【０２６７】
ステップＳ１０５０において、入賞演出判定処理を行う。この処理において、メインＣＰＵ６６は、乱数抽選に基づいて入賞演出を行うか否かを判定する。この処理が終了した場合、ステップＳ１０６０に処理を移す。
【０２６８】
ステップＳ１０６０において、メインＣＰＵ６６は、始動口入賞コマンドをメインＲＡＭ７０の所定領域にセットする。始動口入賞コマンドは、主制御回路６０のメインＣＰＵ６６から副制御回路２００のサブＣＰＵ２０６に供給されることにより、副制御回路２００が、始動口入賞があったことや当り抽選結果の当否を認識するようになる。始動口入賞コマンドのデータには、ステップＳ１０５０の処理において入賞演出すると判定した場合に、入賞演出、例えば演出表示される保留球の表示態様を変更するといった演出を実行させるデータが含まれている。これにより、変動実行前の始動記憶情報に基づいて演出を実行するといった、所謂「先読演出」が可能となる。この処理が終了した場合、ステップＳ１０７０に処理を移す。
【０２６９】
ステップＳ１０７０において、第２始動口４４への始動入賞が検出されたか否かを判断する処理を行う。この処理において、メインＣＰＵ６６は、第２始動入賞ロスイッチ１１７の入力があった否かを判定する。第２始動入賞口スイッチ１１７の入力があったと判定した場合には、ステップＳ１０８０に処理を移し、第２始動入賞口スイッチ１１７の入力があったと判定しない場合には、本サブルーチンを終了する。
【０２７０】
ステップＳ１０８０において、第２特別図柄の始動記憶が４以上であるか否かを判定する処理を行う。この処理において、メインＣＰＵ６６は、第２特別図柄の始動記憶、すなわち保留個数が４以上であるか否かを判定する。保留個数が４以上であると判定した場合には、本サブルーチンを終了し、保留個数が４以上でないと判定した場合には、ステップＳ１０９０に処理を移す。
【０２７１】
ステップＳ１０９０において、第２特別図柄の始動記憶に１加算する処理を行う。この処理において、メインＣＰＵ６６は、メインＲＡＭ７０に記憶されている第２特別図柄の保留個数の値に１加算する処理を行う。この処理が終了した場合、ステップＳ１１００に処理を移す。
【０２７２】
ステップＳ１１００において、各種乱数値の取得処理を行う。この処理において、メインＣＰＵ６６は、大当り判定用乱数カウンタから特別図柄ゲームの大当り判定用乱数を抽出（所謂、特別図柄抽選）し、さらに、大当り図柄決定用乱数カウンタから大当り図柄決定用乱数値とを抽出し、演出条件判定用乱数カウンタから演出条件判定用乱数値を抽出して、メインＲＡＭ７０の第２特別図柄始動記憶領域に格納する処理を行う。本実施形態においては、第２特別図柄始動記憶領域は、第２特別図柄始動記憶領域（０）〜第２特別図柄始動記憶領城（４）まであって、第２特別図柄始動記憶領域（０）に記憶された大当り判定用乱数に基づく判定結果が、特別図柄によって導出表示され、特別図柄の変動中に始動入賞したことによって取得した各種乱数値は、第２特別図柄始動記憶領城（１）〜第２特別図柄始動記憶領域（４）に順に記憶される。この処理が終了した場合、ステップＳ１１１０に処理を移す。このように、メインＣＰＵ６６は、遊技球通過検出手段（第２始動口４４）により遊技球の通過が検出された場合に、遊技者にとって有利な遊技状態への移行契機となる第１の当り又は第１の当りに比較して、遊技者にとって有利となる度合いが低い第２の当りであるか否かの抽選を行う抽選手段の一例である。
【０２７３】
ステップＳ１１１０において、第２特別図柄変動状態データをセットする処理を行う。この処理において、メインＣＰＵ６６は、メインＲＡＭ７０の所定領域に第２特別図柄変動状態データをセットする処理を行う。この処理が終了した場合、ステップＳ１１２０に処理を移す。
【０２７４】
ここで、第１特別図柄変動状態データ、第２特別図柄変動状態データは、第１特別図柄始動記憶領域（０）〜第１特別図柄始動記憶領域（４）及び第２特別図柄始動記憶領域（０）〜第２特別図柄始動記憶領域（４）に記憶された始動記憶において、変動表示させる順番を決定するためのデータである。
【０２７５】
ステップＳ１１２０において、入賞演出判定処理を行う。この処理において、メインＣＰＵ６６は、入賞演出を行うか否かを判定する。入賞演出すると判定した場合に、入賞演出、例えば演出表示される保留球の表示態様を変更するといった演出を実行させる入賞演出コマンドデータをメインＲＡＭ７０の所定領域に記憶する。入賞演出コマンドデータは、主制御回路６０のメインＣＰＵ６６から副制御回路２００のサブＣＰＵ２０６に入賞演出コマンドとして供給されることにより、副制御回路２００が入賞演出の内容を認識するようになる。これにより、変動実行前の始動記憶情報に基づいて演出を実行するといった、所謂「先読演出」が可能となる。この処理が終了した場合、ステップＳ１１３０に処理を移す。
【０２７６】
ステップＳ１１３０において、メインＣＰＵ６６は、始動口入賞コマンドをメインＲＡＭ７０の所定領域にセットする。始動口入賞コマンドは、主制御回路６０のメインＣＰＵ６６から副制御回路２００のサブＣＰＵ２０６に供給されることにより、副制御回路２００が、始動口入賞があったことや当り抽選結果の当否を認識するようになる。始動口入賞コマンドのデータには、ステップＳ１１２０の処理において入賞演出すると判定した場合に、入賞演出、例えば演出表示される保留球の表示態様を変更するといった演出を実行させるデータが含まれている。これにより、変動実行前の始動記憶情報に基づいて演出を実行するといった、所謂［先読演出」が可能となる。この処理が終了した場合、本サブルーチンを終了する。
【０２７７】
尚、本実施形態において、図示はしていないが、主制御回路６０のメインＲＡＭ７０にセットされた各種コマンドは、主制御回路６０の各処理において副制御回路２００に供給されている。
【０２７８】
［サブ制御メイン処理］
図２３を用いて、サブ制御メイン処理を説明する。副制御回路２００は、主制御回路６０からの各種コマンドを受信して、表示処理などの様々な処理を行う。これらの処理の中で本発明に係る制御処理を以下に説明する。
【０２７９】
ステップＳ１６１０においては、初期化処理を行う。この処理において、サブＣＰＵ２０６は、電源投入に応じて、初期化設定する処理を行う。この処理が終了した場合には、ステップＳ１６２０に処理を移す。
【０２８０】
ステップＳｌ６２０においては、乱数更新処理を行う。この処理において、サブＣＰＵ２０６は、ワークＲＡＭ２１０に記憶される乱数を更新する処理を行う。この処理が終了した場合には、ステップＳ１６３０に処理を移す。
【０２８１】
ステップＳ１６３０においては、コマンド解析処理を行う。この処理において、サブＣＰＵ２０６は、主制御回路６０から受信し、ワークＲＡＭ２１０の受信バッファに格納されるコマンドを解析する処理を行う。この処理については後述する。この処理が終了した場合には、ステップＳ１６４０に処理を移す。
【０２８２】
ステップＳｌ６４０においては、演出制御処理を行う。この処理において、サブＣＰＵ２０６は、演出ボタン８０を用いたミニゲームの演出制御を行う。この処理については後述する。この処理が終了した場合には、ステップＳ１６５０に処理を移す。
【０２８３】
ステップＳ１６５０においては、表示制御処理を行う。この処理において、サブＣＰＵ２０６は、液晶表示装置３２において表示を行うためのデータを表示制御回路２５０に送信する。表示制御回路２５０において、ＶＤＰ（図示せず）は、サブＣＰＵ２０６からの演出画像を表示するためのデータに基づいて、識別図柄のデータ、背景画像データ、演出用画像データなど、各種の画像データを画像データＲＯＭから読み出し、重ね合わせて、液晶表示装置３２の表示領域３２ａ上に表示させる。この処理が終了した場合には、ステップＳ１６６０に処理を移す。
【０２８４】
ステップＳ１６６０においては、音・ランプ等制御処理を行う。この処理において、サブＣＰＵ２０６は、スピーカ４６から発生させる音の制御を行う音声制御処理、各種のランプ（図示せず）の発光制御を行うランプ制御処理を実行する。この処理が終了した場合には、再度、乱数更新処理（ステップＳ１６２０）に処理を移す。
【０２８５】
［タイマ割り込み処理］
図２３に示すサブ制御メイン処理を実行している状態であっても、サブ制御メイン処理を中断させ、タイマ割込処理を実行する場合がある。図２４を用いて、タイマ割り込み処理について以下に説明する。
【０２８６】
ステップＳ１７１０においては、レジスタを退避させる処理を行う。この処理において、サブＣＰＵ２０６は、各レジスタ（記憶領域）に記憶される実行中のプログラムにおいて使用されていた値を退避させる処理を行う。この処理が終了した場合には、ステップＳ１７２０に処理を移す。
【０２８７】
ステップＳ１７２０においては、タイマ更新処理を行う。この処理において、サブＣＰＵ２０６は、ワークＲＡＭ２１０に記憶されるタイマを更新する処理を行う。具体的には、ラウンド演出等のタイマを更新する処理を行う。この処理が終了した場合には、ステップＳ１７３０に処理を移す。
【０２８８】
ステップＳ１７３０においては、演出ボタンスイッチ入力検出処理を行う。この処理において、サブＣＰＵ２０６は、演出ボタン８０（８０ａ、８０ｂ、８０ｃ）の操作による演出ボタンスイッチ１３４、１３６、１３８の入力の有無を検出する処理を行う。この処理が終了した場合には、ステップＳ１７４０に処理を移す。なお、この演出ボタンスイッチ入力検出処理をタイマ割り込み処理において実行しているが、他の割り込みでもよい。
【０２８９】
ステップＳ１７４０においては、レジスタを復帰させる処理を行う。この処理において、サブＣＰＵ２０６は、ステップＳ１７１０で退避した値を各レジスタに復帰させる処理を行う。この処理が終了した場合には、本サブルーチンを終了する。
【０２９０】
［コマンド割り込み処理］
図２３に示すサブ制御メイン処理を実行している状態であっても、サブ制御メイン処理を中断させ、コマンド割り込み処理を実行する場合がある。図２５を用いて、コマンド割り込み処理について以下に説明する。
【０２９１】
ステップＳ１８１０においては、レジスタを退避させる処理を行う。この処理において、サブＣＰＵ２０６は、各レジスタ（記憶領域）に記憶される実行中のプログラムにおいて使用されていた値を退避させる処理を行う。この処理が終了した場合には、ステップＳ１８２０に処理を移す。
【０２９２】
ステップＳ１８２０において、サブＣＰＵ２０６は、受信コマンドをバッファに格納する処理を行う。この処理が終了した場合には、ステップＳ１８３０に処理を移す。
【０２９３】
ステップＳ１８３０においては、レジスタを復帰させる処理を行う。この処理において、サブＣＰＵ２０６は、ステップＳ１８１０で退避した値を各レジスタに復帰させる処理を行う。この処理が終了した場合には、本サブルーチンを終了する。
【０２９４】
［コマンド解析処理］
図２３のステップＳ１６３０において実行されるサブルーチン（コマンド解析処理）に
ついて図２６を用いて説明する。
【０２９５】
ステップＳ２０００において、コマンドを受信したか否かを判定する処理を行う。この処理において、サブＣＰＵ２０６が、受信したコマンドが所定のバッファに記憶されているか否かを判定し、受信コマンドありと判定した場合には、ステップＳ２０１０に処理を移し、サブＣＰＵ２０６が受信コマンドありと判定しない場合には、本サブルーチンを終了する。
【０２９６】
ステップＳ２０１０において、受信したコマンドが特別図柄演出開始コマンドか否かを判定する処理を行う。この処理において、サブＣＰＵ２０６は、特別図柄演出開始コマンドであると判定した場合には、ステップＳ２０２０に処理を移し、特別図柄演出開始コマンドであると判定しない場合には、ステップＳ２０３０に処理を移す。
【０２９７】
ステップＳ２０２０において、サブＣＰＵ２０６は、特別図柄演出開始コマンドを受信した際に行う各種処理を実行する。特別図柄演出開始コマンドには、遊技状態、変動パターン、特別図柄、残り時短回数のデータが含まれる。この処理が終了した場合には、本サブルーチンを終了する。
【０２９８】
ステップＳ２０３０において、サブＣＰＵ２０６は、受信したコマンドが特別図柄演出停止コマンドであるか否かを判定する。特別図柄演出停止コマンドであると判定した場合には、ステップＳ２０４０に処理を移し、特別図柄演出停止コマンドであると判定しない場合には、ステップＳ２０５０に処理を移す。
【０２９９】
ステップＳ２０４０において、サブＣＰＵ２０６は、特別図柄演出停止コマンドを受信した際に行う各種処理を実行する。特別図柄演出停止コマンドには、遊技状態、特別図柄、１減算された残り時短回数のデータが含まれる。この処理が終了した場合には、本サブルーチンを終了する。
【０３００】
ステップＳ２０５０において、サブＣＰＵ２０６は、受信したコマンドが特別図柄当り終了インターバル表示コマンドか否かを判定する処理を行う。特別図柄当り終了インターバル表示コマンドであると判定した場合には、ステップＳ２０６０に処理を移し、特別図柄当り終了インターバル表示コマンドであると判定しない場合には、ステップＳ２０７０に処理を移す。
【０３０１】
ステップＳ２０６０において、サブＣＰＵ２０６は、特別図柄当り終了インターバル表示コマンドを受信した際に行う各種処理を実行する。特別図柄当り終了インターバル表示コマンドには、遊技状態、当りの種類のデータが含まれる。この処理が終了した場合には、本サブルーチンを終了する。
【０３０２】
ステップＳ２０７０において、サブＣＰＵ２０６は、受信したコマンドが始動口入賞コマンドか否かを判定する処理を行う。始動口入賞コマンドであると判定した場合には、ステップＳ２０８０に処理を移し、始動口入賞コマンドであると判定しない場合には、ステップＳ２０９０に処理を移す。
【０３０３】
ステップＳ２０８０において、サブＣＰＵ２０６は、始動口入賞コマンド受信時処理を行う。始動口入賞コマンドには、遊技状態、当りの内容（変動パターンは含まない）、保留球数のデータが含まれる。この処理の詳細については後述する。この処理が終了した場合には、本サブルーチンを終了する。
【０３０４】
ステップＳ２０９０において、サブＣＰＵ２０６は、その他受信したコマンドに対応する受信時処理を行う。この処理が終了した場合には、本サブルーチンを終了する。
【０３０５】
［始動口入賞コマンド受信時処理］
図２６のステップＳ２０８０において実行されるサブルーチン（始動口入賞コマンド受信時処理）について図２７を用いて説明する。
【０３０６】
ステップＳ２６００において、入賞した遊技球による当否に基づいて現在実行中の演出内容を変更する演出変更抽選を行う。この処理において、サブＣＰＵ２０６は、液晶表示装置３２に現在表示されている演出を変更するか否かを乱数抽選によって決定する処理を行う。例えば、保留球の大当り判定用乱数値を先読みして、大当りの場合には、高確率で現在実行中の演出を変更し、ハズレの場合には低確率で演出を変更するように抽選する。この処理が終了した場合には、ステップＳ２６１０に処理を移す。
【０３０７】
ステップＳ２６１０において、演出変更抽選に当選したか否かを判定する処理を行う。この処理において、サブＣＰＵ２０６は、演出変更抽選に当選したか否かを判定し、当選したと判定した場合には、ステップＳ２６２０に処理を移す。当選したと判定しない場合には、本サブルーチンを終了する。
【０３０８】
ステップＳ２６２０において、演出内容変更処理を行う。この処理において、サブＣＰＵ２０６は、液晶表示装置３２に現在表示されている演出内容を変更する処理を行う。この処理が終了した場合には、本サブルーチンを終了する。
【０３０９】
［演出制御処理］
図２３のステップＳ１６４０において実行されるサブルーチン（演出制御処理）について図２８を用いて説明する。
【０３１０】
ステップＳ２７００において、ミニゲーム実行時の演出パターンか否か判定する処理を行う。この処理において、サブＣＰＵ２０６は、ミニゲーム実行時の演出パターンか否か判定し、ミニゲーム実行時の演出パターンであると判定した場合には、ステップＳ２７１０に処理を移す。また、ミニゲーム実行時の演出パターンでないと判定した場合には、本サブルーチンを終了する。
【０３１１】
ステップＳ２７１０において、演出ボタンスイッチ検出か否か判定する処理を行う。この処理において、サブＣＰＵ２０６は、演出ボタンスイッチ１３４、１３６、１３８により演出ボタン８０ａ、８０ｂ、８０ｃが押下されたことを検出したか否か判定し、演出ボタン８０ａ、８０ｂ、８０ｃが押下されたことを検出したと判定した場合には、ステップＳ２７２０に処理を移す。また、演出ボタン８０ａ、８０ｂ、８０ｃが押下されなかったと判定した場合には、ステップＳ２７４０に処理を移す。
【０３１２】
ステップＳ２７２０において、スイッチ検出有効期間フラグがオンであるか否か判定する処理を行う。この処理において、サブＣＰＵ２０６は、スイッチ検出有効期間フラグがオンであるか否か判定し、スイッチ検出有効期間フラグがオンであると判定した場合には、ステップＳ２７３０に処理を移す。また、スイッチ検出有効期間フラグがオンでないと判定した場合には、本サブルーチンを終了する。
【０３１３】
ステップＳ２７３０において、演出ボタン押下時演出実行処理を行う。この処理において、サブＣＰＵ２０６は、演出ボタン８０ａ、８０ｂ、８０ｃが押下された際の演出内容を液晶表示装置３２に表示する。この処理が終了した場合には、本サブルーチンを終了する。
【０３１４】
ステップＳ２７４０において、スイッチ検出有効期間が終了か否か判定する処理を行う。この処理において、サブＣＰＵ２０６は、スイッチ検出有効期間が終了か判定し、スイッチ検出有効期間が終了であると判定した場合には、ステップＳ２７５０に処理を移す。また、スイッチ検出有効期間が終了でないと判定した場合には、本サブルーチンを終了する。
【０３１５】
ステップＳ２７５０において、サブＣＰＵ２０６は、スイッチ検出有効期間フラグをオフにする。この処理が終了した場合には、本サブルーチンを終了する。
【０３１６】
［特別図衲変動パターン決定テーブル］
図２９は、特別図柄変動パターン決定テーブルを示す図であり、図２９（ａ）は、確変中ハズレ時用の特別図柄変動パターン決定テーブルを示すものであり、図２９（ｂ）は、通常時ハズレ時用の特別図柄変動パターン決定テーブルを示すものである。図２９（ａ）、図２９（ｂ）に示すデータは、メインＲＯＭ６８にテーブルとして記憶されている。なお、図２９（ａ）、図２９（ｂ）に示す特別図柄変動パターン決定テーブルは、一例であり、その他に、確変中大当り時用、通常時大当り時用、確変中潜確（潜伏確変）時用、通常時潜確時用、確変中突確時用、通常時突確時用、確変中小当り時用、及び、通常時小当り時用の特別図柄変動パターン決定テーブルが、メインＲＯＭ６８に記憶されている。
【０３１７】
この特別図柄変動パターン決定テーブルは、図柄変動パターン決定処理において、図柄の変動時間値を求めるためのデータであり、変動パターンｎ（ｎは１〜１４９の整数）のデータからなる。例えば、図２９の例では、変動パターン２と変動パターン３とは、変動時間が同じであり、変動パターン１２と変動パターン１３とは、変動時間が同じであるものとする。また、特別図柄変動パターン決定テーブルでは、各変動パターンに対応付けて抽選値が記憶されている。本実施形態では、メインＣＰＵ６６は、抽選値を抽出し、抽出した抽選値に対応する変動パターンを決定し、決定した変動パターンをサブＣＰＵ２０６に特図変動パターン指定コマンドとして送信する。サブＣＰＵ２０６は、変動パターンに対応するリーチ演出を決定する。なお、メインＣＰＵ６６が、変動パターンをサブＣＰＵ２０６に特図変動パターン指定コマンドとして送ってから、サブＣＰＵ２０６が、変動パターンに対応する変動時間の中からリーチ演出を決定するようにしてもよい。
【０３１８】
ここで、図２９（ａ）と図２９（ｂ）とを比較すると、図２９（ａ）の確変中ハズレ時用の特別図柄変動パターン決定テーブルは、図２９（ｂ）の通常時ハズレ時用の特別図柄変動パターン決定テーブルと比べて、確変遊技状態で選択されやすい演出が抽選される確率が高く設定されている。具体的には、図２９（ａ）の確変中ハズレ時用の特別図柄変動パターン決定テーブルの方が、図２９（ｂ）の通常時ハズレ時用の特別図柄変動パターン決定テーブルと比べて、変動パターン２、１２に割り当てられた抽選値が小さく、変動パターン３、１３に割り当てられた抽選値が大きく設定されている。このため、例えば、変動パターン３に対応する演出Ｂ（またはリーチＢ）は、変動パターン２に対応する演出Ａ（またはリーチＡ）に比べて、現在が確変遊技状態である期待度が高く、変動パターン１３に対応する演出Ｄ（またはリーチＤ）は、変動パターン１２に対応する演出Ｃ（またはリーチＣ）に比べて、現在が確変遊技状態である期待度が高い。
【０３１９】
［特別図柄制御処理のプログラム］
図３０は、特別図柄制御処理を実行するプログラムの一例を示す図である。図３０に示すプログラムによれば、まず、（００００）において、ＨＬレジスタにリターンアドレスをロードする。次に（０００１）において、以下の（０００３）で行われるケースジャンプ処理において、指定された番号のジャンプ先での処理完了時の戻り先をセットする。次に（０００２）において、特別図柄制御状態フラグ領域の内容をロードする。次に（０００３）において、ケースジャンプ処理を行う。次に、（０００４）において、ループ回数を３回にセットする。次に（０００５）から（０００７）のそれぞれの処理において、アドレスを一つ登録する。次に（０００８）において、イリーガル時の処理を行う。
【０３２０】
イリーガル時の処理において、具体的には、ケースジャンプ処理において定義した最大番号異常が入力されたときに、異常処理として定義した最大番号が示すジャンプ先の処理を行う。
【０３２１】
［演出表示例］
図３１は、液晶表示装置３２における演出表示の一例を示す説明図である。液晶表示装置３２の表示領域３２ａには、３つの識別図柄９４が並列表示されており、３つの識別図柄９４がそれぞれ変動、停止表示することにより、大当り、小当り、ハズレが遊技者に報知される。識別図柄９４の左側には、石版９５が表示されており、この石版９５は、特別図柄抽選が低確率状態の場合には右側に回転しており、低確率状態（通常状態）の場合には、右側に回転しており、高確率状態（確変状態）の場合には、左側に回転している。
【０３２２】
また、突確時短無し、小当り終了後、時短終了後からの遊技回数が規定カウント数に到達する毎に、石版９５の表示色が変化する。例えば、遊技回数が、３０回、５０回、１００回、２００回、３００回に到達する毎に、青、黄、縁、赤、灰色に変化する。
【０３２３】
ここで、本実施形態においては、識別図柄９４の停止表示態様に特徴を備えている。例えば、１−ハテナ−３が揃っている表示態様の場合には、疑似連演出（図柄の変動、仮停止を繰り返し、繰り返し回数が多いほど大当り期待度が高くなる予告）が行われる。なお、擬似連の表示態様は、どのようなものでもよく、例えば、１１２のようなズレ目でも良いし、１２３のような数字が連続するものであっても良い。
【０３２４】
また、４５９のように「地獄」を連想される語呂合わせの表示態様には、リーチ発展が確定する。例えば、「４５９」が割れて、リーチに発展するというパターンが表示される。
【０３２５】
また、６６４のように、予め定めたリーチ目の場合には、疑似連演出から大当りが確定する。なお、非確変中は大当り確定、確変中は確変大当り確定としてもよい。リーチ目としては、例えば、２２３（富士山）、１８４（イワシ）、１２３（連続）などがある。
【０３２６】
また、４５５のように２番目の数字と３番目の数字が揃っている表示態様（ケツテンパイ）は、演出モード１〜４においては、非確変中よりも確変中の方が、ケツテンパイの選択率が高くなるように設定されている。すなわち、ケツテンパイが出ると確変期待度が高まることになる。なお、ケツテンパイは、保留球内に大当りがあるときに出やすくなってもよい。
【０３２７】
７−変動中−７（７テンパイ）となった場合には、大当り確定である。なお、保留球内に大当りがあるときには、ハズレで７テンパイを出現させてもよい。この場合、１００％のプレミア演出でハズレとなり、他の保留で大当りになる、ということが確定している。
【０３２８】
また、演出モード３は、２０回、３０回、５０回、次回大当りまで継続する演出モードだが、通常の識別図柄９４による演出は実行せず、演出モード３の期間においては、液晶全体に表示される敵と戦って倒すという演出が実行される。そして、戦いにおける攻撃の種類によって確変期待度、保留内大当り期待度を示唆する。敵を倒した場合は確変大当りが確定し、敵が逃げた場合は通常又は確変大当りが確定する。なお、保留球を先読みして大当りがあったときには、ハズレの変動時に強い攻撃を行うといったパターンをセットしてもよい。
【０３２９】
［演出表示例］
図３２は、液晶表示装置３２における演出モード３（Ｇ−ＺＯＮＥモード）の演出表示の一例を示す説明図である。演出モード３において、液晶表示装置３２の表示領域３２ａには、敵キャラクタ９２と味方キャラクタ９３とによる戦闘画面が演出表示される。演出モード３の期間に特別図柄抽選が大当りとなった場合に、味方キャラクタ９３が勝利する演出表示（敵を倒す、敵が逃げる）が実行される。また、演出モード３が終了する時の特別図柄抽選がハズレとなった場合には、味方キャラクタ９３が撤退して、演出モード２に移行する演出表示が実行される。
【０３３０】
また、演出モード３においては、大当り期待度に応じて味方キャラクタ９３が繰り出す攻撃の種類が異なるように設定されている。例えば、最も期待度が低い技が、石を投げるであり、火炎放射、吹雪、目から光線の順で期待度が高くなる。
【０３３１】
また、演出モード３において、演出表示の実行中に、保留球が増えてその中に当りが含まれている場合には、現在表示されている演出内容が変更される。例えば、図３２（ａ）に示すように、味方キャラクタ９３が目から光線を発射している演出表示中に、保留球に当りが出た場合には、図３２（ｂ）に示すように、光線を太くしたり、衣装の模様を変化させる、というように演出内容が変えられる。
【０３３２】
［保留記憶数の表示例］
図３３は、表示される保留記憶数の表示例を示す図である。液晶表示装置３２の表示領域３２ａは、数字からなる識別図柄が変動表示される識別図柄表示領域３２ｂとともに、保留記憶数に対応する保留記憶表示領域３２ｃを有する。例えば、図３３に示すように、識別図柄表示領域３２ｂには、演出用としての３つの識別図柄が並列表示されており、図３３の例では、擬似連演出が行われる１−ハテナ−３が停止表示されている。
【０３３３】
また、図３３に示すように、保留記憶表示領域３２ｃには、保留表示が最大４つ表示される。また、保留記憶表示領域３２ｃには、保留表示の通常の表示態様として「黒丸」が表示され、先読抽選に当選した場合の特定の表示態様として「黒い星」が表示される。また、特別図柄ゲームが終了すると、保留記憶表示領域３２ｃに表示された保留数が１つ減り、最も右側にある黒丸または黒い星が白丸に変更して表示される。なお、図面における黒は、点灯していることを示しており、白は、消灯していることを示している。
【０３３４】
［大当り終了後の遊技の流れ］
図３４は、大当り終了後の遊技の流れを示す図である。図３４に例示するように、本実施形態では、大当り終了後は、必ず確変遊技状態に移行し、且つ、大当り終了後の１００ゲームの間に電サポがＯＮとなる（図３４の（ａ）参照）。かかる確変遊技状態においては、確変遊技状態の転落抽選を毎ゲームで行う。
【０３３５】
そして、確変遊技状態の転落抽選に当選した場合に、遊技状態を確変遊技状態から通常遊技状態に移行（転落）させる制御を行う。また、遊技状態を確変遊技状態から通常遊技状態に移行した場合であっても、大当り終了後の１００ゲームまでは、電サポがＯＮのままとなる（図３４の（ｂ）参照）。その後、大当り終了後の１００ゲームを消化した場合には、電サポがＯＦＦとなる（図３４の（ｃ）参照）。
【０３３６】
尚、原則として、確変遊技状態において大当り抽選がハズレの場合には、確変中ハズレ時用の特別図柄変動パターン決定テーブルが使用され、通常遊技状態において大当り抽選がハズレの場合には、通常時ハズレ時用の特別図柄変動パターン決定テーブルが使用される。しかし、本実施形態では、上記した図３４（ｂ）の期間においては、通常遊技状態であっても、確変中ハズレ時用の特別図柄変動パターン決定テーブルが使用される場合がある。かかる処理については、図３５の例を用いて、以下に説明する。
【０３３７】
［特別図柄変動パターン決定テーブルの選択］
図３５は、転落後の電サポ中に大当りとなった際の特別図柄変動パターン決定テーブルの選択処理を説明する図である。本実施形態では、遊技状態を確変遊技状態から通常遊技状態に転落し、且つ、電サポがＯＮである期間（上記した図３４（ｂ）の期間）において、入賞した遊技球が大当りとなった場合には、その入賞した遊技球の保留が消化されるまでの間は、通常遊技状態であっても、確変中ハズレ時用の特別図柄変動パターン決定テーブルが使用される。
【０３３８】
例えば、図３５に例示するように、特別図柄の変動中に第１始動口２５に遊技球の入賞があり、入賞した遊技球に対応する４個目の保留が先読抽選に当選して大当りである場合には、保留表示の表示態様として黒い星を表示する。このような場合には、１〜３個目の保留については、通常遊技状態であっても、確変中ハズレ時用の特別図柄変動パターン決定テーブルを選択し、抽選により変動パターンを決定し、変動パターンに対応する演出を表示する。なお、ここでは、先読抽選を行う場合を例にして説明したが、先読抽選を行わなくともよい。
【０３３９】
上述したように、通常遊技状態に転落後、大当りの保留がある場合には、通常遊技状態であっても、確変用の特別図柄変動パターン決定テーブルに基づいて演出を決定するので、確変用の特別図柄変動パターン決定テーブルを使用している間は、その後の遊技に期待感を抱かせることができる。このため、転落抽選に当選した場合であっても、その後の遊技に遊技者が期待感を抱くことが可能となる。
【０３４０】
［その他の実施形態］
なお、上記した実施形態においては、遊技状態を確変遊技状態から通常遊技状態に転落し、且つ、電サポがＯＮである期間において、入賞した遊技球が大当りとなった際には、通常遊技状態であっても、確変中ハズレ時用の特別図柄変動パターン決定テーブルが使用される場合を説明したが、これに限定されるものではない。例えば、遊技状態を確変遊技状態から通常遊技状態に転落し、且つ、電サポがＯＮである期間において、入賞した遊技球が潜確又は小当りとなった際に、確変中ハズレ時用の特別図柄変動パターン決定テーブルを使用するようにしてもよい。
【０３４１】
ここで、潜確と小当りについて、図３６を用いて説明する。図３６に示すように、潜確に当選した場合には、アタッカ４０が２回開閉し、遊技状態が確変遊技状態に移行する。また、小当りに当選した場合には、アタッカ４０が２回開閉し、遊技状態は変化しない。つまり、潜確に当選した場合であっても小当りに当選した場合であっても、アタッカ４０が２回開閉するため、遊技者は潜確に当選したのか小当りに当選したのかすぐに判別できず、潜確への期待感を抱かせることができる。
【０３４２】
図３７は、転落後の電サポ中に潜確または小当りとなった際の特別図柄変動パターン決定テーブルの選択処理について説明する。本実施形態では、遊技状態を確変遊技状態から通常遊技状態に転落し、且つ、電サポがＯＮである期間（上記した図３４（ｂ）の期間）において、入賞した遊技球が潜確または小当りとなった場合には、その入賞した遊技球の保留が消化されるまでの間は、通常遊技状態であっても、確変中ハズレ時用の特別図柄変動パターン決定テーブルが使用される。
【０３４３】
例えば、図３７に例示するように、特別図柄の変動中に第１始動口２５に遊技球の入賞があり、入賞した遊技球に対応する４個目の保留が先読抽選に当選して潜確または小当りである場合には、保留表示の表示態様として黒い三角を表示する。このような場合には、１〜３個目の保留については、通常遊技状態であっても、確変中ハズレ時用の特別図柄変動パターン決定テーブルを選択し、抽選により変動パターンを決定し、変動パターンに対応する演出を表示する。なお、ここでは、先読抽選を行う場合を例にして説明したが、先読抽選を行わなくともよい。
【０３４４】
これにより、通常遊技状態に転落後、潜確または小当りの保留がある場合には、転落しても確変用の特別図柄変動パターン決定テーブルに基づいて演出を決定するので、確変用の特別図柄変動パターン決定テーブルを使用している間は、潜確に当選した可能性に対する期待感を継続させることができる。また、小当りにより潜確の期待感を持たせることができ、且つ、期待感を継続させることができる。
【０３４５】
また、小当りに当選した場合には、小当りの保留が消化された後、所定の条件が充足されるまで、確変中ハズレ時用の特別図柄変動パターン決定テーブルを選択するようにしてもよい。例えば、所定の条件として、５０ゲームの消化や、１０回リーチが表示されるまで、確変中ハズレ時用の特別図柄変動パターン決定テーブルを選択する。そして、所定の条件が充足された後は、通常通り、通常時ハズレ時用の特別図柄変動パターン決定テーブルを選択する。
【０３４６】
これにより、小当り後所定の条件が充足されるまで、潜確に当選して確変遊技状態へ移行したかもしれないという期待感を継続させることができる。
【０３４７】
また、遊技状態を確変遊技状態から通常遊技状態に転落し、且つ、電サポがＯＮである期間において、入賞した遊技球が大当りとなった際には、確変中ハズレ時用の特別図柄変動パターン決定テーブルが使用される場合を説明したが、これに限定されるものではない。例えば、遊技状態を確変遊技状態から通常遊技状態に転落し、且つ、電サポがＯＮである期間において、入賞した遊技球が大当りとなった際には、専用の特別図柄変動パターン決定テーブルを使用するようにしてもよい。
【０３４８】
この場合には、専用の特別図柄変動パターン決定テーブルとして、転落後大当り電サポ中ハズレ時用の特別図柄変動パターン決定テーブルが、確変中ハズレ時用の特別図柄変動パターン決定テーブルと通常時ハズレ時用の特別図柄変動パターン決定テーブルとは別に、メインＲＯＭ６８に記憶されている。なお、メインＣＰＵ６６が、変動パターンに対応する変動時間をサブＣＰＵ２０６に送り、サブＣＰＵ２０６が、変動時間に対応する複数の演出の中から演出を決定するようにしてもよい。
【０３４９】
図３８は、転落後大当り電サポ中ハズレ時用の特別図柄変動パターン決定テーブルを示す図である。図３８のテーブルと図２９（ａ）のテーブルと図２９（ｂ）のテーブルとを比較すると、転落後大当り電サポ中ハズレ時用の特別図柄変動パターン決定テーブルは、図２９（ｂ）の通常時ハズレ時用の特別図柄変動パターン決定テーブルと比べて、確変遊技状態で選択されやすい演出が抽選される確率が高く設定されている。
【０３５０】
具体的には、図３８の転落後大当り電サポ中ハズレ時用の特別図柄変動パターン決定テーブルの方が、図２９（ｂ）の通常時ハズレ時用の特別図柄変動パターン決定テーブルと比べて、変動パターン２、１２に割り当てられた抽選値が小さく、変動パターン３、１３に割り当てられた抽選値が大きく設定されている。ここで、変動パターン３に対応する演出Ｂ（またはリーチＢ）は、変動パターン２に対応する演出Ａ（またはリーチＡ）に比べて、現在が確変遊技状態である期待度が高く、変動パターン１３に対応する演出Ｄ（またはリーチＤ）は、変動パターン１２に対応する演出Ｃ（またはリーチＣ）に比べて、現在が確変遊技状態である期待度が高い。
【０３５１】
また、転落後大当り電サポ中ハズレ時用の特別図柄変動パターン決定テーブルは、図２９（ａ）の確変中ハズレ時用の特別図柄変動パターン決定テーブルと比べて、確変遊技状態で選択されやすい演出が抽選される確率が低く設定されている。尚、転落後大当り電サポ中ハズレ時用の特別図柄変動パターン決定テーブルは、図２９（ｂ）の通常時ハズレ時用の特別図柄変動パターン決定テーブルと比べて、確変遊技状態で選択されやすい演出が抽選される確率が高く設定されていればよく、例えば、転落後大当り電サポ中ハズレ時用の特別図柄変動パターン決定テーブルは、図２９（ａ）の確変中ハズレ時用の特別図柄変動パターン決定テーブルと比べて、確変遊技状態で選択されやすい演出が抽選される確率が高く設定されていてもよい。
【０３５２】
このように、専用の特別図柄変動パターン決定テーブルを設けた場合には、変動パターンに対応付けられた抽選値を任意に設定することができる結果、多彩で自由度の高い演出制御を行うことができる。
【０３５３】
なお、上記の実施形態では、遊技状態を確変遊技状態から通常遊技状態に転落し、且つ、電サポがＯＮである期間において、入賞した遊技球が大当りとなったことを条件に、通常遊技状態であっても、確変中ハズレ時用の特別図柄変動パターン決定テーブルが使用される場合を説明したが、これに限定されるものではない。例えば、上記の条件に加えて、さらに演出ボタンが押下された場合にのみ、通常遊技状態であっても、確変中ハズレ時用の特別図柄変動パターン決定テーブルが使用されるようにしてもよい。
【０３５４】
なお、上記の実施形態では、メインＣＰＵ６６が変動パターンを決定し、メインＣＰＵ６６により決定された変動パターンに対応する演出をサブＣＰＵ２０６が実行する場合を説明したが、これに限定されるものではなく、サブＣＰＵ２０６が変動パターンに対応する複数の演出のなかから演出を選択し、選択した演出を実行するようにしてもよい。例えば、メインＣＰＵ６６が抽選値を抽出し、抽出した抽選値に対応する変動パターンを決定し、変動パターンをサブＣＰＵ２０６に送信する。そして、サブＣＰＵ２０６は、変動パターンに対応する複数の演出のうち、いずれかの演出を実行するか選択し、選択した演出を実行するようにしてもよい。
【０３５５】
なお、本実施形態においては、主制御回路６０と副制御回路２００との複数の制御回路を備えるように構成したが、これに限らず、別の構成としてもよく、例えば、主制御回路６０と副制御回路２００とをワンボートに構成してもよい。
【０３５６】
なお、本発明の実施形態に記載された効果は、本発明から生じる最も好適な効果を列挙したに過ぎず、本発明による効果は、本発明の実施形態に記載されたものに限定されるものではない。
【符号の説明】
【０３５７】
１０  パチンコ遊技機
１４  遊技盤
２５  第１始動口
３２  液晶表示装置
３３  普通図柄表示装置
３４ａ、３４ｂ  第１特別図柄保留表示ＬＥＤ
３４ｃ、３４ｄ  第２特別図柄保留表示ＬＥＤ
３５  特別図柄表示装置
３９  大入賞口
４０  アタッカ
４４  第２始動口
４８  普通電動役物
５０  普通図柄保留表示ＬＥＤ
５６  一般入賞口
６０  主制御回路
６６  メインＣＰＵ
６８  メインＲＯＭ
７０  メインＲＡＭ
８０  演出ボタン
９４  識別図柄
１０４  カウントスイッチ
１０６、１０８、１１０、１１２  一般入賞口スイッチ
１１４  通過ゲートスイッチ
１１６  第１始動入賞口スイッチ
１１７  第２始動入賞口スイッチ
１１８  始動口ソレノイド
１２０  大入賞口ソレノイド
１２８  払出装置
１３０  発射装置
１３４、１３６、１３８  演出ボタンスイッチ
２００  副制御回路
２０６  サブＣＰＵ
２０８  プログラムＲＯＭ
２１０  ワークＲＡＭ
２３０  音声制御回路
２４０  ランプ制御回路
２５０  表示制御回路
【図１】
0005559758.tif 000002
【図２】
0005559758.tif 000003
【図３】
0005559758.tif 000004
【図４】
0005559758.tif 000005
【図５】
0005559758.tif 000006
【図６】
0005559758.tif 000007
【図７】
0005559758.tif 000008
【図８】
0005559758.tif 000009
【図９】
0005559758.tif 000010
【図１０】
0005559758.tif 000011
【図１１】
0005559758.tif 000012
【図１２】
0005559758.tif 000013
【図１３】
0005559758.tif 000014
【図１４】
0005559758.tif 000015
【図１５】
0005559758.tif 000016
【図１６】
0005559758.tif 000017
【図１７】
0005559758.tif 000018
【図１８】
0005559758.tif 000019
【図１９】
0005559758.tif 000020
【図２０】
0005559758.tif 000021
【図２１】
0005559758.tif 000022
【図２２】
0005559758.tif 000023
【図２３】
0005559758.tif 000024
【図２４】
0005559758.tif 000025
【図２５】
0005559758.tif 000026
【図２６】
0005559758.tif 000027
【図２７】
0005559758.tif 000028
【図２８】
0005559758.tif 000029
【図２９】
0005559758.tif 000030
【図３０】
0005559758.tif 000031
【図３１】
0005559758.tif 000032
【図３２】
0005559758.tif 000033
【図３３】
0005559758.tif 000034
【図３４】
0005559758.tif 000035
【図３５】
0005559758.tif 000036
【図３６】
0005559758.tif 000037
【図３７】
0005559758.tif 000038
【図３８】
0005559758.tif 000039